(57)【要約】【課題】ユーザを混乱させることのない優れたユーザインタフェースを実現する。【解決手段】グループジャンプ用に生成されたソートリストとグループジャンプ操作とを予め対応づけておく。これにより、グループジャンプ操作が行われた場合にはその操作と対応づけられたリスト上からグループを選択することができ、これによってジャンプ操作を行ってもグループをジャンプできないといった問題を解決することができる。つまりこの結果、ジャンプ操作を行ってもグループをジャンプできる場合とできない場合とがあった従来のように、ユーザを混乱させてしまうといった事態の発生を確実に防止することができる。また、このような構成によれば、サーチで利用される検索用リストとは別途のリストに従ったグループジャンプ動作を行うことが可能となることで、グループジャンプの自由度を広げることができる。【選択図】図１６
2007299508.tif 000002
【特許請求の範囲】
【請求項１】
操作部と、
コンテンツデータを識別するための識別情報と上記コンテンツデータの属性情報とが対応づけられたコンテンツ管理情報と、上記コンテンツ管理情報を上記属性情報に基づいてグループ毎に並べ替えて生成された少なくとも１以上のソートリストとを記憶する記憶部と、
コンテンツデータを再生する再生部と、
上記操作部からの所定の操作入力が検知されたときに参照するソートリストを設定すると共に、上記所定の操作入力が検知されたことに応じ、上記設定したソートリスト上の上記グループの配列順序に従って所要のグループを選択する制御部と、
を備えることを特徴とする再生装置。
【請求項２】
上記制御部は、
上記選択したグループに含まれるコンテンツデータが上記再生部により再生されるように制御する、
ことを特徴とする請求項１に記載の再生装置。
【請求項３】
上記記憶部は、
それぞれ異なる複数のソートリストを記憶し、
上記制御部は、
上記複数のソートリストの中から１つのソートリストを、上記操作部からの所定の操作入力が検知されたときに参照するソートリストとして設定する、
ことを特徴とする請求項１に記載の再生装置。
【請求項４】
上記操作部は、
第１の位置と第２の位置への移動操作が可能とされ、且つ第１の回転方向と第２の回転方向とに回転操作が可能とされた円筒状操作子を備えており、
上記所定の操作入力は、上記円筒状操作子が上記第２の位置に位置され且つ上記回転操作が行われたことに応じた操作入力である、
ことを特徴とする請求項１に記載の再生装置。
【請求項５】
上記制御部はさらに、
上記操作部からの操作入力に基づきコンテンツデータの再生範囲をグループ単位または全コンテンツに設定すると共に、再生範囲がグループ単位に設定されている場合は、上記設定したソートリスト上における、再生中のコンテンツデータが含まれるグループ内のコンテンツデータが再生されるように制御する、
ことを特徴とする請求項１に記載の再生装置。
【請求項６】
上記制御部はさらに、
上記操作部からの他の所定の操作入力が検知された場合は、上記設定したソートリスト上の再生中のコンテンツデータが含まれるグループ内におけるコンテンツデータについての頭出し再生が行われるように制御する、
ことを特徴する請求項５に記載の再生装置。
【請求項７】
上記操作部は、
第１の位置と第２の位置への移動操作が可能とされ、且つ第１の回転方向と第２の回転方向とに回転操作が可能とされた円筒状操作子を備えており、
上記他の所定の操作入力は、上記円筒状操作子が上記第１の位置に位置され且つ上記回転操作が行われたことに応じた操作入力である、
ことを特徴とする請求項６に記載の再生装置。
【請求項８】
上記制御部はさらに、
上記操作部からの操作入力に基づきコンテンツデータの再生範囲をグループ単位または全コンテンツに設定すると共に、再生範囲が全コンテンツに設定されている場合は、上記設定したソートリスト上のコンテンツデータが再生されるように制御する、
ことを特徴とする請求項１に記載の再生装置。
【請求項９】
上記制御部はさらに、
上記操作部からの他の所定の操作入力が検知された場合は、上記設定したソートリスト上のコンテンツデータについての頭出し再生が行われるように制御する、
ことを特徴する請求項８に記載の再生装置。
【請求項１０】
上記操作部は、
第１の位置と第２の位置への移動操作が可能とされ、且つ第１の回転方向と第２の回転方向とに回転操作が可能とされた円筒状操作子を備えており、
上記他の所定の操作入力は、上記円筒状操作子が上記第１の位置に位置され且つ上記回転操作が行われたことに応じた操作入力である、
ことを特徴とする請求項９に記載の再生装置。
【請求項１１】
上記制御部はさらに、
上記操作部からの操作入力に基づき、上記ソートリストの中からグループを選択し、選択したグループの中からコンテンツデータを選択すると共に、選択したコンテンツデータが再生されるように制御する、
ことを特徴とする請求項１に記載の再生装置。
【請求項１２】
コンテンツデータを識別するための識別情報と上記コンテンツデータの属性情報とが対応づけられたコンテンツ管理情報を上記属性情報に基づいてグループ毎に並べ替えて生成された少なくとも１以上のソートリストのうちから、操作部からの所定の操作入力が検知されたときに参照するソートリストを設定すると共に、上記所定の操作入力が検知されたことに応じ、上記設定したソートリスト上の上記グループの配列順序に従って所要のグループを選択する、
ことを特徴とするコンテンツ選択方法。
【請求項１３】
さらに、上記選択したグループに含まれるコンテンツデータが再生されるように制御することを特徴とする請求項１２に記載のコンテンツ選択方法。
【請求項１４】
上記ソートリストは複数用意され、
上記複数のソートリストの中から１つのソートリストを、上記操作部からの所定の操作入力が検知されたときに参照するソートリストとして設定する、
ことを特徴とする請求項１２に記載のコンテンツ選択方法。
【請求項１５】
上記操作部は、
第１の位置と第２の位置への移動操作が可能とされ、且つ第１の回転方向と第２の回転方向とに回転操作が可能とされた円筒状操作子を備えており、
上記所定の操作入力は、上記円筒状操作子が上記第２の位置に位置され且つ上記回転操作が行われたことに応じた操作入力である、
ことを特徴とする請求項１２に記載のコンテンツ選択方法。
【請求項１６】
さらに、上記操作部からの操作入力に基づきコンテンツデータの再生範囲をグループ単位または全コンテンツに設定すると共に、再生範囲がグループ単位に設定されている場合は、上記設定したソートリスト上における、再生中のコンテンツデータが含まれるグループ内のコンテンツデータが再生されるように制御する、
ことを特徴とする請求項１２に記載のコンテンツ選択方法。
【請求項１７】
さらに、上記操作部からの他の所定の操作入力が検知された場合は、上記設定したソートリスト上の再生中のコンテンツデータが含まれるグループ内におけるコンテンツデータについての頭出し再生が行われるように制御する、
ことを特徴する請求項１６に記載のコンテンツ選択方法。
【請求項１８】
上記操作部は、
第１の位置と第２の位置への移動操作が可能とされ、且つ第１の回転方向と第２の回転方向とに回転操作が可能とされた円筒状操作子を備えており、
上記他の所定の操作入力は、上記円筒状操作子が上記第１の位置に位置され且つ上記回転操作が行われたことに応じた操作入力である、
ことを特徴とする請求項１７に記載のコンテンツ選択方法。
【請求項１９】
さらに、上記操作部からの操作入力に基づきコンテンツデータの再生範囲をグループ単位または全コンテンツに設定すると共に、再生範囲が全コンテンツに設定されている場合は、上記設定したソートリスト上のコンテンツデータが再生されるように制御する、
ことを特徴とする請求項１２に記載のコンテンツ選択方法。
【請求項２０】
さらに、上記操作部からの他の所定の操作入力が検知された場合は、上記設定したソートリスト上のコンテンツデータについての頭出し再生が行われるように制御する、
ことを特徴する請求項１９に記載のコンテンツ選択方法。
【請求項２１】
上記操作部は、
第１の位置と第２の位置への移動操作が可能とされ、且つ第１の回転方向と第２の回転方向とに回転操作が可能とされた円筒状操作子を備えており、
上記他の所定の操作入力は、上記円筒状操作子が上記第１の位置に位置され且つ上記回転操作が行われたことに応じた操作入力である、
ことを特徴とする請求項２０に記載のコンテンツ選択方法。
【請求項２２】
さらに、上記操作部からの操作入力に基づき、上記ソートリストの中からグループを選択し、選択したグループの中からコンテンツデータを選択すると共に、選択したコンテンツデータが再生されるように制御する、
ことを特徴とする請求項１２に記載のコンテンツ選択方法。
【請求項２３】
コンテンツデータを識別するための識別情報と上記コンテンツデータの属性情報とが対応づけられたコンテンツ管理情報を上記属性情報に基づいてグループ毎に並べ替えて生成された少なくとも１以上のソートリストのうちから、操作部からの所定の操作入力が検知されたときに参照するソートリストを設定する設定処理と、
上記所定の操作入力が検知されたことに応じ、上記設定したソートリスト上の上記グループの配列順序に従って所要のグループを選択する選択処理と、
をコンピュータに実行させる、コンピュータが読み取り可能なプログラムが記録された記録媒体。
【発明の詳細な説明】
【技術分野】
【０００１】
本発明は、例えば楽曲等のコンテンツを再生する再生装置とコンテンツ選択方法に関する。また、本発明を実現するために実行されるべきプログラムが記録された記録媒体に関する。
【背景技術】
【０００２】
従来、半導体メモリなどの記録媒体を内蔵した非常に小型な携帯型の記録再生装置が普及している。
このような携帯型の記録再生装置としては、パーソナルコンピュータなどの情報処理装置とのデータ通信が可能に構成されて、情報処理装置に格納される楽曲データをコピーして蓄積することが可能とされる。
このとき、情報処理装置側における楽曲データは専用のアプリケーションソフトにより管理される。つまり、このような専用のアプリケーションソフトが情報処理装置側にインストールされていることで、ＣＤ（Compact Disc）などの記録媒体やインターネット上の楽曲配信サイト等からの楽曲データの取り込みや、楽曲データの編集（例えばアルバム単位での区分け、プレイリストの作成など）を簡易に行うことができるようにされる。また、このようなアプリケーションとしては、情報処理装置側に格納された楽曲データを記録再生装置側に転送してコピーする機能を備えたものもあり、ユーザはこのアプリケーションによる画面上の案内などに従った操作を行うことで、情報処理装置から記録再生装置への楽曲データのコピーも簡易に行うことが可能とされている。
【０００３】
ところで、このような携帯型の記録再生装置としては、近年の記録媒体の大容量化に伴い、楽曲データの蓄積容量としても大容量化が進んでいる。例えば、記録媒体として半導体メモリを備えるものでも、記憶容量は数百ＭＢ（メガバイト）から数ＧＢ（ギガバイト）程度確保することが可能となっている。これに伴い記録再生装置のなかには、楽曲データを数百曲分から千曲分程度蓄積することが可能なものもある。
【０００４】
このように大量の楽曲データが蓄積される場合、その中から所望の曲を探し出すのは困難となる。そこで、記録再生装置としては、各楽曲データと対応づけられるようにして付された例えばアルバム名、アーティスト名、ジャンル等といった属性情報を利用した検索が可能となるように構成されたものがある。
【０００５】
ここで、現状における属性情報を利用した曲の検索（サーチ）と選択（designate）は、例えば以下のような手順により行われるものとなっている。
先ず、サーチを行うとした場合、ユーザはサーチのメニュー画面を表示させる。この画面では、例えばアルバム、アーティストなど楽曲に付される上位の階層の属性情報の表示が行われる。例えばアルバムが選択されたとすると、記録される全てのアルバム名の情報が一覧表示される。このアルバム名の一覧から１つのアルバム名が選択されると、選択されたアルバム名が属性情報として付される楽曲の楽曲名の情報の一覧が表示される。ここから所望の楽曲名を選択してその楽曲名の付された楽曲データについての再生を開始させることができる。
【０００６】
また、上記サーチメニュー画面にて、アーティストが選択された場合は、記録される全てのアーティスト名の情報が一覧表示される。そして、その中から１つのアーティスト名が選択されると、例えばそのアーティスト名の情報が対応づけられているアルバム名の一覧が表示される。つまりこれにより、そのアーティストのアルバムの一覧が表示されることになる。このように選択したアーティストのアルバム名の一覧から１つのアルバム名が選択されると、この場合もそのアルバム名の情報が付された楽曲の楽曲名の情報が一覧表示され、これら楽曲名の一覧から所望の楽曲名を選択してその楽曲名の付された楽曲データを再生させることができる。
【０００７】
このとき、上記のようなサーチ機能は、予め各サーチモード（この場合はアルバムサーチとアーティストサーチ）ごとに生成した検索用リストを用いて行われることがある。つまり、アルバムサーチ用の検索用リストであれば、記録される楽曲を、同一のアルバム名の情報が付されたものごとに分けるようにして並び替えたリストを生成しておく。またアーティストサーチ用の検索リストであれば、同一のアーティスト名の情報が付されたものごとに分けた上で、さらに各アーティストの中では同一のアルバム名の情報が付された曲ごとに分けるようにして並び替えたリストを生成する。
このようにして各サーチモードごとの必要なリストを予め生成しておくようにされていることで、アルバムやアーティストが選択されるごとに必要なリストを逐次生成する必要がなくなり、より高速なサーチ動作を実現することができるようになる。
【０００８】
ところで、上述のようなサーチモードで所望の楽曲を選択して再生を開始した後は、再生範囲はサーチにより絞り込んだ範囲に設定される。つまり、上記のようなアルバムサーチやアーティストサーチによりアルバム一覧からのアルバムの選択→選択されたアルバムの楽曲一覧からの曲の選択、を経て楽曲の再生を開始させた場合には、再生範囲は選択した１つのアルバムの範囲内となるように設定されるといったものである。
【０００９】
またこの際、ユーザが他のアルバムやアーティストの曲を再生したいとしたときは、所定操作によりサーチ画面の上位階層に戻るようにされる。つまり、アルバムサーチにより楽曲を再生していた場合は、上記所定操作によりアルバムの一覧画面に戻るようにされ、そこからアルバムを再選択して他のアルバムに移ることができる。
また、アーティストサーチにより楽曲を再生していた場合、上記所定操作により１つ上位の階層となるアルバム一覧画面に戻ることができ、そこで所望のアルバムを選択することで、選択したアーティストの他のアルバムに移ることができる。また、上記所定操作を２回行ってさらに上位階層のアーティストの一覧画面に戻ることで、他のアーティストを選択することができ、その下層のアルバム一覧から所望のアルバムを選択することができる。
【００１０】
一方で、このように他のアルバム、アーティストの楽曲の再生に移ろうとした場合には、上記のように画面上の一覧表示からアルバムやアーティストを再選択する以外にも、ジャンプ操作として、アルバム、アーティストなどといった所要のグループの切り換えをダイレクトに行う操作が可能に構成されたものがある。例えば、或るアルバムの楽曲を再生中にこのようなグループジャンプ操作が行われたことに応じては、他のアルバムの楽曲の再生が開始されるものである。
【００１１】
なお、関連する従来技術については以下の特許文献を挙げることができる。
【特許文献１】特開２００２−１１６９３３号公報
【特許文献２】特開平９−２３３１６１号公報
【発明の開示】
【発明が解決しようとする課題】
【００１２】
ここで、従来において、上記のようなグループジャンプ操作に応じたグループ間のジャンプ動作は、再生範囲として指定された範囲内でのみ行うようにされていた。そしてこのことから、例えば上述したようなアルバムサーチでアルバム→楽曲に絞ってきて楽曲を再生中に、グループジャンプ操作が行われたとしても、アルバムをジャンプする動作は行われないものとなっていた。つまり、アルバムサーチで楽曲を再生した場合、上述のように再生範囲はその選択された１つのアルバムの範囲内となるからである。
【００１３】
このグループジャンプ操作は、複数のアルバムが再生範囲内に含まれる場合に有効な操作とされている。例えば、サーチモードとしては、記録されるすべての楽曲をアルバム名やトラック名順に一覧表示するモードもある。このモードから楽曲が再生された場合は、再生範囲は一覧表示においてアルバム名やトラック名順に並べられたすべての楽曲となる。このときにグループジャンプ操作が行われることで、上記一覧中において再生中のアルバムとは異なるアルバム（例えば再生中のアルバムに隣接するアルバムなど）に有効にジャンプすることができる。
【００１４】
以上をまとめると、上記のように再生範囲に従うという制限を設けたグループジャンプ動作を行う従来手法では、再生装置が同一のコンテンツを再生していても、例えばそのコンテンツを再生指定するまでの経路によって、グループジャンプ操作が行える場合と行えない場合とがでてきてしまうこととなる。例えば、ユーザがアーティスト名→アルバム名→トラック名の順で所望のコンテンツ（コンテンツＡとする）を選択し再生指示をした場合にはグループジャンプ動作が行えないが、アーティスト名→そのアーティストに関する全ての楽曲→トラック名の順で上記コンテンツＡを再生した場合にはグループジャンプ動作が行える、ということになる。このようなことから、ユーザにとっては、ジャンプできる場合とできない場合との区別がつきづらく、ユーザの混乱を招く場合があった。
【課題を解決するための手段】
【００１５】
そこで、本発明では以上のような問題点に鑑み、再生装置として以下のように構成することとした。
すなわち、操作部と、コンテンツデータを識別するための識別情報と上記コンテンツデータの属性情報とが対応づけられたコンテンツ管理情報と、上記コンテンツ管理情報を上記属性情報に基づいてグループ毎に並べ替えて生成された少なくとも１以上のソートリストとを記憶する記憶部とを備える。
また、コンテンツデータを再生する再生部を備える。
その上で、上記操作部からの所定の操作入力が検知されたときに参照するソートリストを設定すると共に、上記所定の操作入力が検知されたことに応じ、上記設定したソートリスト上の上記グループの配列順序に従って所要のグループを選択する制御部を備えるものである。
【００１６】
上記構成によれば、上記所定の操作入力（ジャンプ操作入力）が検知されたことに応じて、その操作入力と予め対応づけられるようにして設定されたソートリスト上から所要のグループを選択するといったことが可能となる。すなわち、予めジャンプ用として用いるソートリストを設定しておくことができる。これにより、ジャンプ操作を行ってもグループをジャンプできないといった問題を解決することができる。
また、上記のようにして所定の操作入力とソートリストとを予め対応づけておくことができることで、例えばサーチで利用した検索用リストとは別途のリストに従ったグループジャンプを行うといったことも可能となる。これにより、サーチの内容に左右されずに、ジャンプ操作については独立して、例えば別のアルバム並び順に従ったグループジャンプや、別の種類のグループ単位でのグループジャンプができるなど、グループジャンプの自由度を広げることができる。
【発明の効果】
【００１７】
このようにして本発明によれば、所定の操作入力に応じて、ジャンプ動作用として設定されたソートリスト上からグループを選択することができ、これによってジャンプ操作を行ってもグループをジャンプできないといった問題を解決することができる。つまりこの結果、ジャンプ操作を行ってもグループをジャンプできる場合とできない場合とがあった従来のように、ユーザを混乱させてしまうといった事態の発生を確実に防止することができ、優れたユーザインタフェースを実現することができる。
【００１８】
また、上記のようにしてサーチで利用される検索用リストとは別途のリストに従ったグループジャンプ動作を行うことも可能となることで、グループジャンプの自由度を広げることができる。
【発明を実施するための最良の形態】
【００１９】
以下、発明を実施するための最良の形態（以下実施の形態とする）について説明していく。
なお、説明は以下の順で行う。
１．システムの概要
２．情報処理装置の構成
３．再生装置の構成
４．サーチ機能
５．実施の形態としてのグループジャンプ動作
６．処理動作
【００２０】
１．システムの概要
図１は、本発明における実施の形態としての記録再生システム１の概要を示した図である。
図１において、実施の形態の記録再生システム１としては、記録再生装置２、パーソナルコンピュータ３、サーバ装置４、ネットワーク５、及び光ディスク１００を少なくとも含んで構成される。
先ず、記録再生装置２は、本発明の再生装置の一実施形態であり、この場合はポータブルタイプのオーディオプレイヤ（／レコーダ）を想定している。また、この記録再生装置２には記録媒体が内蔵されており、具体的には、例えばフラッシュメモリなどの半導体メモリを内蔵した構成が採られる。
【００２１】
また、パーソナルコンピュータ３は、例えばＵＳＢ（Universal Serial Bus）ケーブル等を介して上記記録再生装置２との間でのデータ通信を行うことが可能に構成される。また、ネットワーク５を介して接続された外部装置（サーバ装置４）との間でもデータ通信を行うことが可能とされる。
【００２２】
また光ディスク１００としては、例えばパッケージメディアとして市販・流通する音楽ＣＤ（Compact Disc）を想定している。またネットワーク５は例えばインターネットであるとする。
【００２３】
実施の形態の記録再生システム１としては、パーソナルコンピュータ３において上記光ディスク１００などから取り込んだコンテンツデータ（この場合は楽曲としてのオーディオデータ）を記録再生装置２にコピーし、記録再生装置２はこのようにパーソナルコンピュータ３側からコピーされたコンテンツデータを再生出力するという使用形態を想定している。
【００２４】
なお、詳しくは後述するが、パーソナルコンピュータ３においては、上記した本実施の形態としての記録再生システム１の使用形態を可能とするためのアプリケーションプログラム（後述のコンテンツ管理アプリケーション３０ａ）がインストールされる。
このコンテンツ管理アプリケーション３０ａは、光ディスク１００からのコンテンツデータの取り込み、取り込んだコンテンツデータの編集、及びコンテンツデータの記録再生装置２へのコピーまでを一括して管理するアプリケーションである。
例えばユーザは、このコンテンツ管理アプリケーションを起動させてその画面上の指示に従った操作を行うことで、光ディスク１００からパーソナルコンピュータ３へのコンテンツデータの取り込み、及び取り込んだコンテンツデータの編集（例えばアルバム単位での区分けやプレイリストの作成、コンテンツデータの削除など）等を行うことが可能とされる。
また、このコンテンツ管理アプリケーション３０ａとしては、記録再生装置２がパーソナルコンピュータ３に接続されたときに、操作に応じパーソナルコンピュータ３側に蓄積されているコンテンツデータを記録再生装置２側に転送（コピー）する機能も備えている。
【００２５】
また、このコンテンツ管理アプリケーション３０ａとしては、光ディスク１００からのコンテンツデータ（オーディオデータ）を例えばＡＴＲＡＣ（Adaptive TRansform Acoustic Cording）方式やＭＰ３（MPEG Audio Layer3）方式などの所定の圧縮符号化方式により圧縮符号化して記録する機能も備えており、これによって記録再生装置２により多くのコンテンツデータを記録させることができるように図られている。
【００２６】
さらに、コンテンツ管理アプリケーション３０ａによっては、光ディスク１００から取り込んだオーディオデータについての楽曲名（トラック名）や収録アルバム名、アーティスト名などといった、コンテンツデータの属性情報を取得することが可能とされている。
【００２７】
ここで、従来より、光ディスク１００から抽出した情報を元に、その収録曲についての属性情報を取得するということが行われている。例えば、ＣＤのＴＯＣ（Table Of Contents）データには、ＣＤに収録されているトラック数（曲数）、各トラックのアドレス（絶対時間情報）、総演奏時間などが記録されている。これは通常、同一タイトル（同一アルバム）のＣＤにおいて同一のデータとなるが、異なるタイトルのＣＤにおいて全てが一致することは、まずあり得ない。従って、ＴＯＣデータからＣＤタイトルに固有のコードを生成することができ、この固有コードに対応づけて各タイトルの各トラックごとの属性情報を格納した楽曲情報データベースを構築しておくことで、対象とするＣＤから生成した固有コードを元に、その収録曲についての属性情報をこのデータベースから取得することができる。
【００２８】
この場合、上記楽曲情報データベースとしては、図示するようにネットワーク５に接続されたサーバ装置４において構築されているとする（図中楽曲情報データベース４ａ）。コンテンツ管理アプリケーション３０ａは、装填された光ディスク１００のコンテンツデータの取り込みが指示されたことなどに応じて、この装填された光ディスク１００のＴＯＣデータに基づいて上記固有コードを生成する。そして、サーバ装置４にアクセスして、この固有コードを検索条件として楽曲情報データベース４ａを照会することで、装填された光ディスク１００に収録されるコンテンツデータに対応する属性情報を取得する。
その上で、光ディスク１００から取り込んだコンテンツデータと取得した属性情報とがそれぞれ対応づけられて管理されるように管理情報を生成するようにされる。
【００２９】
なお、このようにして光ディスク１００に記録されたコンテンツデータに対応する属性情報を楽曲情報データベースから取得する技術としては既に公知のものであり、本明細書におけるその詳細な説明は省略する。
また、ここでは楽曲情報データベース４ａはネットワーク５を介して接続されたサーバ装置４において構築される場合のみについて示しているが、パーソナルコンピュータ３が楽曲情報データベース４ａの全部又は一部を備えるように構成することもできる。
【００３０】
記録再生装置２では、上記のようにしてパーソナルコンピュータ３側で蓄積され、属性情報が対応付けられたコンテンツデータがコピーされ、これが内蔵する記録媒体に記録される。これにより記録再生装置２においては、記録媒体に記録されたコンテンツデータについての再生を行うことが可能とされると共に、コンテンツデータについてのトラック名やアルバム名、アーティスト名などといった属性情報の表示を行うことが可能とされる。
【００３１】
なお、実施の形態では、上記のようにして記録再生装置２側で再生されるべきコンテンツデータを転送する装置がパーソナルコンピュータ３である場合を例示しているが、パーソナルコンピュータに限らず、例えばＰＤＡ（Personal Digital Assistants）などの他のコンピュータ機器や、家庭用ゲーム機器、情報家電などの他の情報処理装置とすることもできる。
【００３２】
２．情報処理装置の構成
図２は、図１に示したパーソナルコンピュータ３（情報処理装置）の内部構成を示すブロック図である。
図２において、先ずＣＰＵ２１は、起動されたプログラムに基づいてパーソナルコンピュータ３全体の制御、演算処理を行う。例えばユーザに対する入出力動作、ＨＤＤ３０へのデータファイルの格納や管理情報の作成・更新等を行う。
ＣＰＵ２１は、図示するバス３６を介して各部との間で制御信号やデータのやりとりを行うようにされる。
【００３３】
メモリ部２２は、ＣＰＵ２１が処理に用いるＲＯＭ、ＲＡＭ、フラッシュメモリなどを包括的に示している。
メモリ部２２におけるＲＯＭには、ＣＰＵ２１の動作プログラム、プログラムローダー等が記憶される。また、メモリ部２２におけるフラッシュメモリには、各種演算係数、プログラムで用いるパラメータ等が記憶される。
さらに、メモリ部２２におけるＲＡＭには、プログラムを実行する上でのデータ領域、タスク領域が一時的に確保される。
【００３４】
ＵＳＢ（Univesal Serial Bus）インタフェース２３は、ＵＳＢケーブルを介して接続された外部機器との間でデータ通信を行うために備えられる。特に、この場合のＵＳＢインタフェース２３を介しては、図２に示した記録再生装置２との間でオーディオデータ等の各種データの送受信が行われる。
【００３５】
ＨＤＤ３０においては、上述のようにしてＣＰＵ２１の制御に基づきデータファイルの格納や管理情報の作成・更新等が行われる。
例えば、図１にて述べたようにして光ディスク１００から取り込んだコンテンツデータについては、このＨＤＤ３０に格納される。また、先にも述べたようにこの場合のコンテンツデータは、楽曲情報データベース４ａから取得した属性情報と対応付けられて管理されるもとなるが、ＨＤＤ３０には、このようにコンテンツデータとその属性情報とを対応づけて管理するためのコンテンツ管理情報も格納されるものとなる。
ここでは図示するように、ＨＤＤ３０に格納されたコンテンツデータについてはコンテンツデータ３０ｂと示している。またＨＤＤ３０に格納されるコンテンツ管理情報については、コンテンツ管理情報３０ｃと示している。
【００３６】
また、ＨＤＤ３０に対しては、パーソナルコンピュータ３が各種の機能を実現するためのプログラム（アプリケーション）も格納される。
特に、本実施の形態の場合では、先の図１においても述べたようにしてコンテンツデータを管理するためのコンテンツ管理アプリケーション３０ａが格納される。なお、このコンテンツ管理アプリケーション３０ａにより実現される各種の機能動作については後述する。
【００３７】
入力部２５は、パーソナルコンピュータ３に備えられる図示しないキーボードやマウス、或いはリモートコマンダー、その他の入力デバイスであって、ユーザが各種操作入力やデータ入力を行う。入力部２５で入力された情報は入力処理部２４で所定の処理が施され、ＣＰＵ２１に対して操作又はデータの入力として伝達される。ＣＰＵ２１は入力された情報に対応して必要な演算や制御を行う。
【００３８】
メディアドライブ２９は、例えばＣＤ、ＭＤ(Mini Disc：光磁気ディスク)、ＣＤ−Ｒ(Recordable)、ＣＤ−ＲＷ（ReWritable）、ＤＶＤ(Digital Versatile Disc)、ＤＶＤ−Ｒ、ＤＶＤ−ＲＷなどの光ディスク、またはメモリーカード（リムーバブルメディアとしての半導体メモリ装置）等の記録メディアに対応するドライブ機能部であり、これらメディアについての記録再生動作を行うことが可能に構成される。例えばメディアとして、本実施の形態の光ディスク１００のようなＣＤ系のディスクメディアに対応する場合、このメディアドライブ２９には、例えば光学ヘッド、スピンドルモータ、再生信号処理部、サーボ回路等が備えられるものとなる。
【００３９】
ドライブ制御部２８は、メディアドライブ２９に装填されたメディアについての記録再生動作、アクセス動作等を制御する。例えばユーザが入力部２５を介して装填されたメディアに対する再生操作を行った場合、ＣＰＵ２１はドライブ制御部２８にメディアの再生を指示する。するとドライブ制御部２８は、メディアドライブ２９に対してアクセス動作や再生動作を実行させるための制御を行う。メディアドライブ２９では、読み出した再生データをドライブ制御部２８を介してバス３６に送出する。
【００４０】
オーディオデータ処理部３３は、ＣＰＵ２１の制御に基づき、入力されたオーディオデータについて、必要に応じてイコライジング等の音場処理や音量調整、Ｄ／Ａ変換、増幅等の処理を施し、これをスピーカ部３４を介して出力する。
例えば、メディアドライブ２９により読み出されたオーディオデータ、又はＨＤＤ３０に格納されたオーディオデータ（コンテンツデータ）が再生される際には、このオーディオデータがオーディオデータ処理部３３において処理された後、スピーカ部３４を介して出力される。
【００４１】
なお、ＨＤＤ３０内に格納されるコンテンツデータ３０ｂとしては、所定の圧縮符号化方式により圧縮符号化されている場合があり、その場合、この圧縮符号化データは後述する圧縮符号化・復号化部３５にて復号化されてからオーディオデータ処理部３３に供給されることになる。
【００４２】
ディスプレイ２７は、例えば液晶パネルなどの表示デバイスとされ、ユーザに対して各種情報表示を行う。
例えば、ＣＰＵ２１が各種動作状態や入力状態、通信状態に応じて表示情報を表示処理部２６に供給すると、表示処理部２６は供給された表示データに基づいてディスプレイ２７を駆動して表示動作を実行させる。
また、上記したメディアドライブ２９に装填されたメディアから、或いはＨＤＤ３０から映像データが再生された場合には、この再生データについての信号処理を行い、これにより得られた信号に基づいてディスプレイ２７を駆動することにより映像表示を行わせる。
【００４３】
通信処理部３１は、ＣＰＵ２１の制御に基づいて送信データのエンコード処理、受信データのデコード処理を行う。
ネットワークインタフェイス３２は、上記通信処理部３１でエンコードされた送信データを、図１に示したネットワーク５を介して所定の機器、例えばサーバ装置４に送信する。またネットワーク５を介してサーバ装置４などの外部機器から送信されてきた信号を通信処理部３１に受け渡す。
通信処理部３１は受信した情報をＣＰＵ２１に転送する。
【００４４】
圧縮符号化・復号化部３５は、オーディオデータを所定の圧縮符号化方式により圧縮符号化すると共に、所定の圧縮符号化方式により圧縮符号化されたオーディオデータについての復号化処理を行う。
ここでは、圧縮符号化・復号化部３５がハードウエアとして構成される例を示しているが、その動作はＣＰＵ２１のソフトウエア処理により実現することもできる。
【００４５】
なお、パーソナルコンピュータ３の構成はこの図３の構成に限られるものではなく、更に多様に考えられる。
例えば、マイクロホンや外部のヘッドホンの接続に用いられる端子や、ＤＶＤの記録再生に対応するビデオ入出力端子や、ライン接続端子、ＳＰＤＩＦ端子等を設けた構成とすることもできる。
【００４６】
ここで、上述したコンテンツ管理アプリケーション３０ａにより実現される機能について、次の図３を参照して説明しておく。
なお、この図３ではコンテンツ管理アプリケーション３０ａにより実現される機能のうち、実施の形態としての動作実現に係る機能のみについて示しており、他の機能については省略している。
【００４７】
図示するようにしてコンテンツ管理アプリケーション３０ａによる主な機能としては、コンテンツ取り込み機能、属性情報取得機能、及びコンテンツ転送機能がある。
【００４８】
[コンテンツ取り込み機能]
先ず、コンテンツ取り込み機能は、光ディスク１００に収録されたコンテンツデータをＨＤＤ３０に取り込む機能である。
すなわち、このコンテンツ取り込み機能として、ＣＰＵ２１は、光ディスク１００がメディアドライブ２９に装填され、コンテンツデータの取り込み指示が為されることに応じて、ドライブ制御部２８にコンテンツデータの読み出し指示を行う。この際、ＣＰＵ２１は、指示に応じては読み出したデータを圧縮符号化・復号化部３６に供給して圧縮符号化処理を施した後に、ＨＤＤ３０への記録を実行させる。
また、この取り込み機能としては、光ディスク１００において曲単位（トラック単位）で収録されるコンテンツデータのうちから、取り込むべきトラックを選択できるようにされているとする。
【００４９】
[属性情報取得機能]
属性情報取得機能は、例えば図１に示したようにしてネットワーク５を介して接続されたサーバ装置４内の楽曲情報データベース４ａから、コンテンツデータの属性情報を取得し、これを記録したコンテンツデータと対応づけて管理する機能である。
先ず、属性情報を取得するにあたってＣＰＵ２１は、装填された光ディスク１００のコンテンツデータの取り込みが指示されたことなどに応じて、この装填された光ディスク１００のＴＯＣデータ（トラック数（曲数）、各トラックのアドレス（絶対時間情報）、総演奏時間）に基づいて先に説明した固有コードを生成する。
また、これと共にＣＰＵ２１は通信処理部３１に指示を行って、サーバ装置４との接続を確立する。
先にも述べたが楽曲情報データベース４ａには、各タイトルの固有コードに対応づけられてそのタイトルのＣＤに収録される各トラックについての属性情報が格納されている。ＣＰＵ２１は、接続が確立されたサーバ装置４に対してこの固有コードと共にコマンドを送信することで、この固有コードを検索条件として楽曲情報データベース４ａを照会するように指示を行う。これに応じ、サーバ装置４側からは、この固有コードと対応づけられて格納された各トラックごとの属性情報が返信され、これによってパーソナルコンピュータ３において、装填された光ディスク１００に収録された各コンテンツデータに対応する属性情報が取得される。
その上で、ＣＰＵ２１は、上記したコンテンツ取り込み機能によって光ディスク１００から取り込んだ各コンテンツデータ（各トラック）と、この取得した属性情報とがそれぞれ対応づけられて管理されるようにコンテンツ管理情報３０ｃを生成（又は更新）してコンテンツデータを管理するようにされる。
【００５０】
図４は、この場合において生成されるコンテンツ管理情報３０ｃのデータ構造を概念的に示している。
先ず、この図に示されるように、本実施の形態において各コンテンツデータと対応づけられるべき属性情報としては、トラック名、アルバム名、アーティスト名、ジャンルなどがある。
トラック名の情報は、トラック単位によるコンテンツデータ対応に付されるべき情報であり、楽曲名の情報を表す。
また、アルバム名の情報は、そのトラックとしての楽曲が収録されている音楽アルバム（シングルの場合もある）の名称であり、アーティスト名の情報は、そのトラックとしての楽曲を歌唱、演奏、作曲、作詞、プロデュース等するアーティストの名称情報である。
さらに、ジャンルの情報は、その楽曲が属する音楽ジャンル（例えばポップス、ロック、ジャズ、演歌など）の名称を示す情報となる。
なお、図示は省略しているが、実際の属性情報には、その楽曲がアルバム中の何曲目であるかを示すトラックナンバーの情報や再生時間情報なども含まれている。また、本明細書において、「属性情報」とは、このように各コンテンツデータ対応にそのコンテンツデータの属性（及び特徴・種類）を表す情報を広く指すものであり、上記により例示したものに限定されるべきものではない。
【００５１】
ＣＰＵ２１は、図示するようにしてこれら属性情報に対してコンテンツＩＤの情報が対応付けられるようにしてコンテンツ管理情報３０ｃを生成する。
このコンテンツＩＤは、ＨＤＤ３０において格納されるトラック単位の各コンテンツデータ３０ａを一意に識別するための識別子（識別情報）である。つまり、このようなコンテンツＩＤと属性情報との対応付けによって、各トラックと各属性情報との対応付けが実現されるものである。
【００５２】
[コンテンツ転送機能]
また、図３において、コンテンツ転送機能は、ＨＤＤ３０においてコンテンツデータ３０ｂとして格納された各コンテンツデータ及びコンテンツ管理情報３０ｃを、図１に示した記録再生装置２に転送（コピー）するための機能である。
このコンテンツ転送機能としてＣＰＵ２１は、ＵＳＢケーブルを介して記録再生装置２側と接続され、図２に示したＵＳＢインタフェース２３を介した記録再生装置２側とのデータ通信が可能な状態とされた下で、ＨＤＤ３０に格納されるコンテンツデータ、コンテンツ管理情報３０ｃを順次読み出し、これらをＵＳＢインタフェース２３を介して記録再生装置２側に転送すると共に、これらの情報についての記録指示を行う。
これによって記録再生装置２側にも、パーソナルコンピュータ３側と同様に、コンテンツデータとそれらの属性情報とが対応づけられたデータベースが形成されることになる。
【００５３】
なお、コンテンツ転送機能としては、ＨＤＤ３０に格納される全てのコンテンツデータのうち、選択したコンテンツデータ（トラック）のみを記録再生装置２側に転送することができるようにされる。この場合、コンテンツ管理情報３０ｃについては、それら転送されるコンテンツデータに関する情報のみを記録再生装置２側に転送する。
【００５４】
３．再生装置の構成
図５は、図１に示した記録再生装置２の内部構成について示したブロック図である。
この記録再生装置２としては、パーソナルコンピュータ３からコピーしたコンテンツデータ等を格納するための記録媒体として、図示するフラッシュメモリ１８を備えるようにされている。この場合、フラッシュメモリ１８の記憶容量としては、例えば数百ＭＢ（メガバイト）から数ＧＢ（ギガバイト）程度であるとする。
【００５５】
図５において、コントローラ６は、ＲＯＭ、ＲＡＭ、ＣＰＵを備えたマイクロコンピュータで構成され、起動されたプログラムに基づいて記録再生装置２全体の制御、演算処理を行う。例えばユーザに対する入出力動作、フラッシュメモリ１８に対するデータの記録／再生の制御等を行う。
また、この場合、コントローラ６は、図示するＤＡＣ（Ｄ／Ａコンバータ）６ａとしてのＤ／Ａ変換機能、及び音量調節機能を備えるようにされている。
【００５６】
コントローラ６に対しては、アンプ７、操作部８が接続される。
アンプ７は、上記したＤＡＣ６ａとしてのコントローラ６によるＤ／Ａ機能及び音量調節機能によりＤ／Ａ変換及び音量調節が行われたオーディオデータが入力され、これを増幅して図示するヘッドホン端子ｔＨＰに供給する。
また、操作部８には、当該記録再生装置２の筐体外部に表出するようにして設けられた各種操作子が備えられる。コントローラ６は、これら各種操作子に応じた操作信号が入力される（つまり操作入力を検知する）と、その操作信号に応じた動作が得られるように必要な各部を制御する。これによりユーザは、これら操作部８が備える各種操作子に対する操作を行って記録再生装置２に各種動作を実行させることができるようにされる。
【００５７】
また、コントローラ６に対しては、図示する第１バス１０を介してメモリ９が接続される。このメモリ９は、フラッシュメモリなどの不揮発性メモリとされる。このメモリ９には、コントローラ６の各種演算に用いられる係数やプログラムで用いられるパラメータ等が記憶される。
また、特に本実施の形態の場合、このメモリ９には、コントローラ６が後の図１５〜図１６において説明する処理動作を実行するためのグループジャンプ処理プログラム９ａが格納される。
なお、このグループジャンプ処理プログラム９ａについては例えばフラッシュメモリ１８、或いはコントローラ６内部のＲＯＭ等に格納することもできる。
【００５８】
また、コントローラ６に対しては、図示するＤＡＣI/FとＳＩＯとを介してデコーダ１１が接続される。
デコーダ１１は、所定の圧縮符号化方式により圧縮符号化されたオーディオデータについての復号化処理を行う。また、このデコーダ１１としては、上記復号化処理により得られたオーディオデータについてのサラウンド処理などの音声信号処理も行うようにされる。
このデコーダ１１からの出力オーディオデータは、ＤＡＣI/Fを介してコントローラ６に供給され、コントローラ６における先のＤＡＣ６ａとしてのＤ／Ａ変換処理、音量調節処理を経てアンプ７に供給された後、ヘッドホン端子ｔＨＰに供給される。
なお、コントローラ６は、図示するＳＩＯを介してデコーダ１１に対する各種制御指示を行うようにされる。
【００５９】
また、コントローラ６には、第１バス１０を介してシステムゲートアレイ１２が接続される。このシステムゲートアレイ１２は、オーディオデータやコマンドといった各種データの各部への転送制御を行うためのＬＳＩ（Large Scale Integration）である。
システムゲートアレイ１２は、図示するＣ／ＤI/Fを介してデコーダ１１と接続される。また、システムゲートアレイ１２は、第２バス１３を介して表示制御部１４、ＵＳＢコントローラ１６と接続される。さらに、第３バス１７を介して、フラッシュメモリ１８とも接続される。
【００６０】
表示部１５は、有機ＥＬ（Electro Luminescence）ディスプレイ、或いは液晶ディスプレイなどの表示デバイスであり、ユーザに各種の情報表示を行う。
表示制御部１４は、コントローラ６から第１バス１０、システムゲートアレイ、第２バス１３を介して供給される表示データに基づき、表示部１５を駆動して表示動作を実行させる。
【００６１】
ＵＳＢコントローラ１６は、図示するＵＳＢ端子ｔUSBに接続されたＵＳＢケーブルを介して接続される外部機器（この場合は特にパーソナルコンピュータ３）との間でデータ通信を行うために備えられる。つまり、ＵＳＢコントローラ１６は、ＵＳＢ通信方式に従って送信データのエンコード処理、受信データのデコード処理を行って外部機器との間でデータ通信を行う。
なお、本実施の形態の記録再生装置２としては、ＵＳＢマスストレージクラス（ＭＳＣ）に対応しているものとする。これにより記録再生装置２がパーソナルコンピュータ３側とＵＳＢケーブルを介して接続されたときには、パーソナルコンピュータ３側で記録再生装置２が外付けのストレージ機器として認識されるようになっている。
【００６２】
ここで、これまでの説明からも理解されるように、パーソナルコンピュータ３側から転送されてくるコンテンツデータ・コンテンツ管理情報３０ｃ（又はその一部）は、このＵＳＢコントローラ１６を介して記録再生装置２側に入力される。
パーソナルコンピュータ３側からこれらのデータが受信されたとき、ＵＳＢコントローラ１６は受信されたデータを第３バス１７経由で直接フラッシュメモリ１８に転送し、その書込動作を実行させる。
図５では、このようにしてフラッシュメモリ１８に格納されるコンテンツデータ、コンテンツ管理情報を、図示するようにしてコンテンツデータ１８ａ、コンテンツ管理情報１８ｂと示している。
なお、この場合のフラッシュメモリ１８に記録される各種リスト１８ｃについては後述する。
【００６３】
また、パーソナルコンピュータ３側から記録再生装置２への転送時には、各種のコマンドも転送される。このようなパーソナルコンピュータ３側からのコマンドについては、ＵＳＢコントローラ１６がこれを第２バス１３→システムゲートアレイ１２→第１バス１０経由でコントローラ６に転送し、コントローラ６がコマンドの内容を解釈するようにされる。コントローラ６はこのコマンドの内容に応じて必要な処理を実行する。
【００６４】
また、フラッシュメモリ１８に記録されたコンテンツデータ１８ａについての再生時においては、コントローラ６の指示に基づきフラッシュメモリ１８から読み出されたコンテンツデータ（圧縮符号化オーディオデータ）が第３バス１７を介してシステムゲートアレイ１２に入力される。システムゲートアレイ１２は、入力されたコンテンツデータとしての圧縮符号化オーディオデータについてはＣ／ＤI/Fを介してデコーダ１１に供給する。デコーダ１１では、この圧縮符号化オーディオデータについての復号化処理を行ってオーディオデータを得ると共に、このオーディオデータについて所定の音声信号処理を施し、ＤＡＣI/Fを介してコントローラ６に供給する。
コントローラ６では、供給されたオーディオデータについて先のＤＡＣ６ａとしてのＤ／Ａ変換処理、音量調節処理を施してこれをアンプ７に供給する。アンプ７に供給されたオーディオデータは増幅されてヘッドホン端子ｔＨＰに供給される。
【００６５】
続いて、図６は、図５に示した操作部８が備える主な操作子について説明するための図として、記録再生装置２の外観図を示している。
図６（ａ）は記録再生装置２の正面図を、図６（ｂ）は記録再生装置２の図６（ａ）における矢印Ｙ方向からの矢視図を示している。
なお、図６（ａ）では、図５にて説明した表示部１５も示されているが、このように表示部１５としては記録再生装置２の筐体外部に表出するようにして設けられる。また、この場合、図５に示したヘッドホン端子ｔＨＰは、図６（ｂ）に示されるようにシャトルスイッチ８ｄの中心部に設けられている。
【００６６】
これら図６（ａ）、図６（ｂ）に示されるようにして、記録再生装置２に対しては、DISP/FUNCキー８ａ、SEARCH/MENUキー８ｂ、PLAY/STOPキー８ｃ、シャトルスイッチ８ｄ、VOL＋キー８ｅ、VOL−キー８ｆが備えられる。
DISP/FUNCキー８ａは、表示部１５としてのディスプレイ上の表示情報の切り替えや、各種機能の切り替えのための指示などを行うための操作子である。
また、SEARCH/MENUキー８ｂは、フラッシュメモリ１８に格納されたコンテンツデータの中から所望のコンテンツデータをアルバム単位やトラック単位などでサーチするためのサーチモードの呼び出しや、記録再生装置２に対する各種設定を行うためのｍｅｎｕ画面の呼び出しなどを指示するための操作子である。
PLAY/STOPキー８ｃは、コンテンツデータの再生の開始／停止、及び各種選択項目の決定を指示するための操作子となる。
【００６７】
シャトルスイッチ８ｄは、図６（ａ）に示されるＰ１、Ｐ２、Ｐ３の３位置へのスライド操作（３スライド操作）と、図中曲線矢印によりそれぞれ示す２方向への回転操作とが可能な操作子とされる。
このシャトルスイッチ８ｄの回転操作として、一方の回転方向への回転操作はＦＦ操作であり、このＦＦ操作により再生中のトラックの順送り指示や各種選択項目の順送り指示などが可能とされる。また、他方の回転方向への回転操作はＦＲ操作であり、このＦＲ操作により再生中のトラックについての頭出し指示や各種選択項目の逆送り指示などが可能とされる。
【００６８】
また、このシャトルスイッチ８ｄの上記３スライド操作として、図示するＰ１の位置はＨＯＬＤ指示となり、シャトルスイッチ８ｄがこのＰ１の位置にスライドされている状態では他の一切の操作入力が受け付けられない状態となる。
また、Ｐ２の位置はニュートラル位置であり、シャトルスイッチ８ｄがこの位置にある状態であって且つコンテンツデータを再生中であるとき、上記したＦＦ操作は再生中のトラックの順送り指示となり、ＦＲ操作は再生中のトラックについての頭出し（逆送り）指示となる。
なお、以下では、このＰ２の位置についてはトラック位置とも呼ぶ。
【００６９】
また、Ｐ３の位置はアルバム位置とされる。シャトルスイッチ８ｄがこのアルバム位置にスライドされている状態で且つコンテンツデータが再生中であるとき、ＦＦ操作はアルバム単位での順送り指示となる。つまり、再生中のトラックが属するアルバムの次に再生されるべきとして予め定められたアルバムの先頭トラックへの順送り指示となる。また、この場合のＦＲ操作としては、アルバム単位での逆送り操作となる。すなわち、再生中のトラックが属するアルバムの、予め定められた再生順序的に前とされるアルバムの先頭トラックへの逆送り指示となる。
なお、本実施の形態の場合、これらアルバム位置でのＦＦ操作／ＦＲ操作によっては、このようなアルバムジャンプ指示以外にも、アーティスト単位でのジャンプも可能となるようにされるが、このことについては後述する。
【００７０】
また、図６（ｂ）において、VOL＋キー８ｅ、VOL−キー８ｆは音量調節指示のための操作子であり、VOL＋キー８ｅは音量ｕｐ、VOL−キー８ｆは音量ｄｏｗｎを指示するための操作子となる。
【００７１】
４．サーチ機能
ここで、本実施の形態の記録再生装置２のように、記録媒体に大量の楽曲を格納することが可能とされたポータブルオーディオプレイヤ（／レコーダ）としては、限られた表示スペースで効率的に所望の楽曲を検索することができるように、サーチ機能が与えられたものがある。
実施の形態の記録再生装置２としても、このようなサーチ機能が与えられている。
以下では、実際にこのようなサーチ機能による楽曲の検索を行うためのユーザ操作手順と、それに応じて行われる記録再生装置２側の動作について、図７、図８を参照して説明する。なお、これら図７、図８では、操作入力に応じた表示部１５上の表示内容の遷移を示している。
【００７２】
この場合のサーチ機能としては、アルバム一覧を表示させて所望のトラックを検索するためのアルバムサーチと、アーティスト一覧→そのアーティストのアルバム一覧を表示させて所望のトラックを検索するアーティストサーチとがある。
図７ではアーティストサーチ時の表示部１５上の画面遷移を示し、図８ではアルバムサーチ時の表示部１５上の画面遷移を示している。
【００７３】
先ず図７において、ユーザはサーチを行うとした場合は、先の図６に示したSEARCH/MENUキー８ｂを押圧操作することによって、図７（ａ）に示されるようなサーチメニュー画面を表示させる。
図示するようにサーチメニュー画面には、少なくとも「All Track」「Artist」「Album」の各項目と、それらの項目を選択するためのカーソルＣＲとが表示される。
「All Track」の項目は、フラッシュメモリ１８内に格納される全てのトラックの一覧から所望のトラックを検索するための項目となる。
また、「Artist」の項目は、上述したアーティストサーチを行うための項目であり、「Album」は上述したアルバムサーチを行うための項目である。
【００７４】
ユーザは、先の図６にて説明したＦＦ操作／ＦＲ操作を行うことで、カーソルＣＲを移動させて上記各項目を選択することができる。そして、PLAY/STOPキー８ｃを押圧操作することで、カーソルＣＲにより選択されている項目を決定することができる。
【００７５】
図７（ａ）に示すサーチメニュー画面において、アーティストサーチによるトラックの検索を行うとした場合、ユーザは「Artist」の項目を選択・決定するようにされる。
これに応じ表示部１５上には、図７（ｂ）に示すようにして「All Artist」の項目表示と共に、すべてのアーティスト名の情報が一覧表示される。
【００７６】
なお、この図では、アーティスト名の情報としては２つのみが表示されるものとしているが、これは表示部１５が３行分の表示のみが可能とされている事情によるものであり、他のアーティスト名の情報の表示は、例えばカーソルＣＲが最下段に移動されている状態でさらにカーソルＣＲを下方に移動させる操作（この場合はＦＲ操作）に応じて順次行われるようになっているとする。なお、このことは以下で説明する全ての「一覧表示」「一覧画面」に共通のことである。
また、確認のために述べておくと、この場合において「すべてのアーティスト」の「すべて」とは、フラッシュメモリ１８内に格納される範囲で「すべて」という意味である。
【００７７】
図７（ｂ）において、この場合もユーザはＦＦ操作／ＦＲ操作によりカーソルＣＲを移動させ、PLAY/STOPキー８ｃの押圧操作により決定指示を行うことで、アーティストの一覧から所望のアーティストを選択・決定することができる。
【００７８】
図７（ｂ）に示すアーティストの一覧から或るアーティストが決定された場合、図７（ｃ）に示すように「All Album」の表示と共に、決定されたアーティストのアルバムの一覧が表示される。
ユーザは、このようなアルバムの一覧表示から所望のアルバムを選択・決定する。
【００７９】
上記アルバムの一覧から１つのアルバムが決定されたときは、図７（ｄ）に示すように決定されたアルバム内のトラック名の一覧が表示される。ユーザは、この図７（ｄ）に示されるトラック名の一覧表示からＦＦ操作／ＦＲ操作、PLAY/STOPキー８ｃの押圧操作によりトラックの選択・決定指示を行うことで、決定したトラックの再生開始を指示することができる。
【００８０】
この場合、再生範囲は、一覧表示されたトラック、すなわち決定されたアーティストの決定されたアルバム内のすべてのトラックとなる。なお、ここで言う再生範囲とは、再生を行う対象範囲であり、例えば再生範囲の最後のトラック（つまり一覧中の最後のトラック）の再生が終了すると、再生が停止する／又は一覧の先頭のトラックの再生に戻るようにされる。
【００８１】
このようにしてアーティストサーチにより、アーティスト一覧→選択したアーティストのアルバム一覧→選択したアルバムのトラック一覧の順に絞り込んで所望のトラックを検索することができる。
【００８２】
また、一方でこのようなアーティストサーチにより楽曲の再生を開始した場合は、上記のようにして再生範囲は決定したアーティストの決定したアルバム内に設定される。つまり、このようなサーチモードとしては、コンテンツの再生範囲を、サーチにより最終的に絞り込まれた範囲に限定して再生を行うためのモードとしても機能するようにされている。
【００８３】
なお、ちなみに、先の図７（ａ）に示したサーチメニュー画面にて表示される「All Track」の項目は、すべてのトラックの一覧から所望のトラックを選択するための項目となる。
図示による説明は省略するが、この「All Track」の項目が選択・決定された場合、表示部１５上にはトラック名の情報の一覧表示が行われることになる。この場合、トラック名の一覧表示は、それぞれのトラックが同一のアルバム名が対応づけられたものごとに分けられるようにして行うようにされている。つまり、同一アルバム名が対応づけられたトラック名の情報は一覧画面中で１かたまりで配置されるものである。また、このような同一アルバム内でのトラック名の配列順は、そのアルバム内でのトラックナンバー順となるようにされている。
さらに、このときのアルバムごとの配列順としては、例えばアルバム名の文字コード順（以下、アルバム名順とも言う）となるようにされる。
【００８４】
また、この「All Track」選択・決定後のトラック一覧画面からトラックが選択・決定されてその再生が開始された場合、再生範囲は一覧表示したすべてのトラックとなる。すなわち、フラッシュメモリ１８内にコンテンツデータ１８ａとして格納されるすべてのトラックが再生の対象となる。
また、再生順序は、上記一覧に従った再生順序とされる。
【００８５】
また、このように「All Track」からトラックを選択してその再生が行われているとき、先の図６にて説明したアルバム位置でのＦＦ操作／ＦＲ操作に応じては、上記のようにしてアルバムごとに配列されるトラックの一覧に基づき、再生中のトラックの属するアルバムに隣接して配列されるアルバムの先頭のトラックを再生するようにされる。
これによって「All Track」のサーチからトラックを再生した場合のアルバム位置でのＦＦ操作／ＦＲ操作に応じては、アルバムジャンプ動作が行われるようになる。
【００８６】
また、先の図７（ｂ）の画面において、「All Artist」が選択・決定された場合は、コンテンツデータ１８ａとして格納されるすべてのトラックのトラック名の情報が、対応づけられるアーティスト名順に一覧表示される（このとき、同一アーティスト内の各トラックはアルバム名順に表示される）。
このトラック名の一覧から１つのトラックが選択・決定されたときは、このトラックの一覧に基づいた再生順で、且つ再生範囲としてはその一覧の範囲（つまりすべてのトラック）で再生が行われるようになる。
そして、このとき、アルバム位置でのＦＦ／ＦＲ操作が行われた場合には、上記のようなアーティスト名順によるすべてのトラックの一覧に基づき、再生中のトラックが属するアーティストに隣接して配列されるアーティストの先頭のトラックが再生される。つまり、このような「All Artist」によるトラック再生中におけるアルバム位置でのＦＦ操作／ＦＲ操作に応じては、アーティストジャンプ動作が行われるようになる。
【００８７】
また、図７（ｃ）の画面における「All Album」が選択・決定された場合、図７（ｂ）において決定されたアーティストのすべてのトラックのトラック名の情報がアルバム名順に並び替えられて一覧表示される。このとき、再生範囲は、このように一覧表示された決定アーティストのすべてのトラックとなる。また、再生順は、一覧表示されるトラックの順と同順となる。
そして、このように「All Album」によりトラックを再生中におけるアルバム位置でのＦＦ／ＦＲ操作が行われた場合、決定したアーティストのアルバムが複数あるときは、それらのアルバムの間でアルバムジャンプ動作が行われることになる。つまりこの場合、再生範囲は、上記のように決定されたアーティストについてのアルバム名順に並び替えられたトラック一覧に基づくものとされているからである。
【００８８】
ここで、このようなサーチモードでトラックを再生中、ユーザはSEARCH／MENUキー８ｂを押圧操作することで、サーチ時に辿った順序とは逆順に階層を戻ることができる。例えば、アーティストサーチとして、図７（ａ）〜図７（ｄ）に示した画面遷移を経てトラックを再生中であった場合、SEARCH／MENUキー８ｂの押圧操作ごとに、図７（ｄ）に示すようなトラック一覧画面→図７（ｃ）のアルバム一覧画面→図７（ｂ）のアーティスト一覧画面の順で順次１つ上の階層の画面を表示することができる。このことで、アルバムやアーティストを決定し直してトラックの再検索を行うことができるようにされている。
なお、このことは以下のアルバムサーチ時についても同様である。
【００８９】
続いて、図８は、アルバムサーチ時の画面遷移を示している。
アルバムサーチによる検索を行うとしたときは、図８（ａ）に示されるようにしてサーチメニュー画面においてカーソルＣＲを「Album」に移動させてPLAY/STOPキー８ｃを押圧操作する。
すると、表示部１５上には、図８（ｂ）に示すようにして「All Album」の表示と共に、すべてのアルバム名の情報が一覧表示される。
【００９０】
図８（ｂ）において、上記アルバムの一覧から１つのアルバムが選択・決定されたときは、図８（ｃ）に示すように、決定されたアルバム内のトラック名の一覧が表示される。ユーザは、この図８（ｃ）に示されるトラック名の一覧表示からＦＦ操作／ＦＲ操作、PLAY/STOPキー８ｃの押圧操作によりトラックの選択・決定指示を行うことで、決定したトラックの再生開始を指示することができる。
この場合、再生範囲は、一覧表示されたトラック、すなわち決定されたアルバム内のすべてのトラックとなる。
このようにしてアルバムサーチによっては、再生すべきトラックをアルバム一覧→選択・決定したアルバム内のトラックの一覧の順で検索することができる。
【００９１】
なお、図８（ｂ）に示す画面において、「All Album」の項目が決定された場合は、コンテンツデータ１８ａとして格納されるすべてのトラックのトラック名がアルバム名順に並び替えられて一覧表示される。すなわち、「All Album」の選択時には、先の図７（ａ）（図８（ａ））における「All Track」が決定されたときと同じ画面が表示されることになる。
また、このため、当該「All Album」からトラックを再生中、アルバム位置でのＦＦ／ＦＲ操作に応じては、この場合も一覧中における再生中のトラックが属するアルバムと隣接するアルバムの先頭のトラックの再生が開始され、アルバムジャンプ動作が実行される。
またこのとき、コンテンツの再生順は一覧表示と同順となり、再生範囲は一覧表示されたすべてのトラックとなる。
【００９２】
５．実施の形態としてのグループジャンプ動作
ここで、これまでの説明からも理解されるように、本実施の形態の記録再生装置２としては、所望のトラックをアーティストやアルバムの一覧から絞り込んで検索するためのサーチ機能が与えられている。
また、この一方で、所定の操作に応じ、アルバムやアーティストといった所定のグループ間をダイレクトにジャンプするグループジャンプ機能が与えられている。
【００９３】
そして、従来においては、上記のようなグループジャンプのための操作に応じたジャンプ動作としては、再生範囲として指定された範囲内でのみ行うようにされていた。
但し、このことによると、先に説明したようにして例えば「All Track」などのように再生範囲がすべてのトラックとされ、その並びがアルバム名順などとされる場合には、グループジャンプ操作に応じてアルバムジャンプ動作が実行されるものとなるが、上述したアルバムサーチによりアルバム一覧→トラック一覧に絞ってきてトラックを再生中であったり、アーティストサーチによりアーティスト一覧→アルバム一覧→トラック一覧の順で絞ってきてトラックを再生中であった場合には、再生範囲は決定されたアルバム内となってしまうため、グループジャンプ操作が為されてもアルバムやアーティストといったグループをジャンプする動作が行われないものとなる。
【００９４】
しかしながら、ユーザにとっては、同じグループジャンプ操作を行ったにも関わらず、上記のようにしてジャンプできる場合とできない場合とがあると、それらの区別がつかず、混乱してしまう虞がある。
【００９５】
また、このような混乱を回避するために、アーティストサーチやアルバムサーチによってトラックを再生した場合にも、ジャンプ動作が可能となるようにすることが考えられる。つまり、例えばアルバムサーチで言えば、サーチ時に表示したアルバム名の一覧上で再生中のトラックが属するアルバムに隣接するアルバムにジャンプできるようにするといったものである。
【００９６】
しかしながら、ユーザの需要としては、アルバムサーチで絞ってはきたが、ジャンプ操作ではアーティストごとのジャンプを行いたいとする場合も考えられる。
そのような需要に対し、上述のように単にサーチ時に用いた一覧（リスト）に基づくジャンプ動作を行っていたのでは、ジャンプ動作に自由度を持たせることができないものとなってしまう。
【００９７】
そこで、本実施の形態では、予めジャンプ動作用に用いられるべきリストを設定し、このジャンプ用のリストとジャンプ操作とを対応づけておくようにする。そしてジャンプ操作が行われた場合は、対応づけられたジャンプ用リストを参照し、そのリスト上におけるグループ分け、及びグループ配列順に従ったグループジャンプ動作を行うものとする。
【００９８】
図９〜図１１は、この場合において生成するジャンプ用リストの具体例を示している。
図９はアルバムジャンプ用リスト、図１０はアーティスト順アルバムジャンプリスト、図１１はアーティストジャンプ用リストの構造をそれぞれ概念的に示している。
【００９９】
先ず、図９におけるアルバムジャンプ用リストとしては、コンテンツ管理情報１８ｂ内のすべてのトラック名の情報について、図示するようにしてそれらを同一のアルバム名の情報が対応づけられたものごとに分け、さらにそれら同一アルバム名により分けられたものの中では、各トラック名の情報を所定順序で配列したリストを生成する。この場合、各アルバム下のトラック名の配列順は、そのアルバムにおけるトラックナンバー順となるようにする。
【０１００】
また、図１０におけるアーティスト順アルバムジャンプ用リストとしては、すべてのトラック名の情報について、先ずは同一のアーティスト名の情報が対応づけられたものごとにわけ、それら同一アーティスト名が対応づけられたものの中では、さらに同一アルバム名が対応づけられたものごとに分け、各アルバム下では、トラック名の情報をこの場合もそのアルバムにおけるトラックナンバー順などの所定順序で配列したリストを生成する。
この場合、最上位階層となるアーティスト名の情報の配列順は、アーティスト名順（例えば文字コード順）とし、各アーティスト名の下層におけるアルバム名の情報の配列順は、アルバム名順となるようにされる。
【０１０１】
さらに、図１１に示すアーティストジャンプ用リストとしては、すべてのトラック名の情報について、図示するようにしてそれらを同一のアーティスト名の情報が対応づけられたものごとに分け、さらにそれら同一アーティスト名により分けられたものの中では、各トラック名の情報を所定順序で配列したリストを生成する。この場合、上層のアーティスト名の情報の配列順はアーティスト名順とされ、また各アーティスト下のトラック名の情報の配列順は、例えば対応づけられるアルバム名の情報の文字コード順や、或いは単にトラック名順（例えば文字コード順）などとすることができる。
【０１０２】
実施の形態の場合、これら図９〜図１１に示した各リストは、記録再生装置２におけるコントローラ６が、コンテンツ管理情報１８ｂを並び替えて（ソートして）生成するようにされる。すなわち、図９に示すアルバムジャンプ用リストについて言えば、コンテンツ管理情報１８ｂにおいて各コンテンツＩＤと対応づけられるアルバム名の情報、トラック名の情報に基づいて、図９にて説明した配列順となるようにコンテンツＩＤを並び替えたリストを生成する。
同様に図１０のアーティスト順アルバムジャンプ用リストとしては、コンテンツ管理情報１８ｂにおけるアーティスト名、アルバム名、トラック名の情報に基づき、図１０にて説明した配列順となるようにコンテンツＩＤを並び替えたリストを生成し、また図１１に示すアーティストジャンプ用リストとしては、コンテンツ管理情報１８ｂにおけるアーティスト名、トラック名の情報（トラック名の情報をアルバム名順に並べる場合はアルバム名の情報も）に基づき、図１１にて説明した配列順となるようにコンテンツＩＤを並び替えたリストを生成する。
そして、これらのリストを、例えばフラッシュメモリ１８等の、所要の記録媒体に対し記録するようにしておく。先の図５では、このようにしてフラッシュメモリ１８内に格納されたリストを、各種リスト１８ｃとして示している。
【０１０３】
これらの各リストを予め生成しておくことで、例えば図９に示すアルバムジャンプ用リストに基づけば、ジャンプ操作に応じては、図中ジャンプ対象として示されるように、リストアップされたアルバム名ごとによるグループごとに、それらの配列順に従ったグループジャンプ動作（つまりアルバムジャンプ動作）を実現することができる。
また、図１０に示したアーティスト順アルバムジャンプ用リストに基づけば、図中ジャンプ対象として示されるように  アーティスト名順に並べられたアルバム名ごとによるグループごとに、それらの配列順に従ってアルバムジャンプ動作を実現することができる。
さらに、図１１のアーティストジャンプ用リストに基づけば、図中ジャンプ対象として示されるように  リストアップされたアーティスト名ごとによるグループごとに、それらの配列順に従ったグループジャンプ動作（つまりアーティストジャンプ動作）を実現することができる。
【０１０４】
そして本実施の形態では、これらそれぞれのリストに基づくジャンプ動作のうち、グループジャンプ操作に応じて何れのジャンプ動作を実行するかを、予めユーザが選択設定しておくことができるようにされている。
具体的には、グループジャンプ操作に応じて何れのリストに基づくジャンプ動作を実行するかを選択設定させるためのジャンプモード選択画面を用意しておき、ユーザはその選択画面から何れかのジャンプ動作を選択設定するようにされる。
【０１０５】
図１２は、このようにユーザがジャンプ動作を選択設定する場合の操作手順を説明するための図として、操作に応じて表示部１５上に表示される画面の遷移例を示している。
先ず、ユーザは、このようなジャンプ動作についての選択設定を行うとした場合、図６にて示したSEARCH／MENUキー８ｂを長押し操作する。すると表示部１５上には、図１２（ａ）に示す設定メニュー画面が表示される。この設定メニュー画面上においては、例えば「Rpeat Mode」や「Sound」、「Jump Mode」などといった各種設定項目の一覧表示が行われると共に、各項目を選択するためのカーソルＣＲも表示される。
この場合もユーザはＦＦ操作／ＦＲ操作によりカーソルＣＲを移動させ、PLAY/STOPキー８ｃの押圧操作により決定指示を行うことで、選択した項目について決定指示を行うことができる。
図１２（ａ）に示す設定メニュー画面において、ジャンプ動作についての設定を行う場合、ユーザは図１２（ｂ）に示すようにカーソルＣＲを「Jump Mode」に移動させた上で（選択した上で）、決定操作を行う。
【０１０６】
「Jump Mode」の項目が選択・決定された場合、ジャンプモード選択画面として、次の図１２（ｃ）に示すように「Album」「Artist／Album」「Artist」の各ジャンプ動作を表す項目とカーソルＣＲとが表示される。確認のために述べておくと、「Album」は上述したアルバムジャンプ用リストに基づくジャンプ動作を表す項目であり、「Artist／Album」はアーティスト順アルバムジャンプ用リストに基づくジャンプ動作を表す項目であり、「Artist」はアーティストジャンプ用リストに基づくジャンプ動作を表す項目となる。
ユーザはこのような選択画面上において、所望のジャンプ動作をグループジャンプ操作に応じて行われるべきジャンプ動作として選択設定することができる。
【０１０７】
記録再生装置２側では、選択された項目が「Album」であった場合は、アルバムジャンプ用リストをグループジャンプ操作に応じたジャンプ動作を行うにあたって参照すべきリストとして設定するようにされる。つまり、グループジャンプ操作とアルバムジャンプ用リストとを対応づけるようにされる。これによってグループジャンプ操作に応じては、アルバムジャンプモードとして、アルバムジャンプ用リストに基づくジャンプ動作が行われるようにすることができる。
具体的に、グループジャンプ操作がアルバム位置でのＦＦ操作（＋方向操作とも呼ぶ）によるものである場合は、アルバムジャンプ用リストにおいて、再生中のトラックが属するアルバムの次に配列されるアルバムの先頭のトラックが再生されるようにする。また、グループジャンプ操作がアルバム位置でのＦＲ操作（−方向操作とも呼ぶ）である場合には、アルバムジャンプ用リストにおいて、再生中のトラックが属するアルバムの前に配列されるアルバムの先頭のトラックが再生されるようにする。
【０１０８】
なお、＋方向操作が行われた場合で、再生中のトラックが属するアルバムがリスト上の最後のアルバムであった場合、上記「次に配列されるアルバム」とは、リスト上の先頭のアルバムとなる。また、−方向操作が行われた場合で、再生中のトラックが属するアルバムがリスト上の最初のアルバムであった場合、上記「前に配列されるアルバム」とはリスト上の最後のアルバムとなる。
このことは、以下のアーティスト順アルバムジャンプ用リストに基づくジャンプ動作についても同様である。また、アーティスト順ジャンプ用リストに基づくジャンプ動作についても、「アルバム」が「アーティスト」となる以外は同様である。
【０１０９】
また、選択された項目が「Artist／Album」であった場合は、アーティスト順アルバムジャンプ用リストをグループジャンプ操作に応じたジャンプ動作を行うにあたって参照すべきリストとして設定するようにされる。つまり、グループジャンプ操作とアーティスト順アルバムジャンプ用リストとを対応づける。これによってグループジャンプ操作に応じては、アーティスト順アルバムジャンプモードとして、アーティスト順アルバムジャンプ用リストに基づくジャンプ動作が行われるようにすることができる。
この場合も＋方向のジャンプ操作に応じては、アーティスト順アルバムジャンプ用リストにおいて、再生中のトラックが属するアルバムの次に配列されるアルバムの先頭のトラックが再生されるようにする。また、−方向のジャンプ操作である場合には、アーティスト順アルバムジャンプ用リストにおいて、再生中のトラックが属するアルバムの前に配列されるアルバムの先頭のトラックが再生されるようにする。
【０１１０】
また、選択された項目が「Artist」であった場合は、アーティストジャンプ用リストをグループジャンプ操作に応じたジャンプ動作を行うにあたって参照すべきリストとして設定するようにされる。つまり、グループジャンプ操作とアーティストジャンプ用リストとを対応づける。これによってグループジャンプ操作に応じては、アーティストジャンプモードとして、アーティストジャンプ用リストに基づくジャンプ動作が行われるようにすることができる。
この場合も＋方向のジャンプ操作に応じては、アーティストジャンプ用リストにおいて再生中のトラックが属するアーティストの次に配列されるアーティストの先頭のトラックが再生されるようにする。また、−方向のジャンプ操作である場合には、アーティストジャンプ用リストにおいて再生中のトラックが属するアーティストの前に配列されるアーティストの先頭のトラックが再生されるようにする。
【０１１１】
このようにして実施の形態によれば、予め生成されたグループジャンプ用のリストと、グループジャンプ操作とを対応づけておくことができる。つまり、これによれば、サーチにより絞られた再生範囲には捕らわれずに、グループジャンプ動作を行うための別途のリストを参照することで、例えばサーチにより再生範囲が１つのアルバム内、又は１つのアーティスト内に絞られた場合にもグループジャンプ動作を行うことができる。
このようにしてサーチにより再生範囲が１つのアルバム内、又は１つのアーティスト内に絞られた場合にもグループジャンプ動作が可能となることで、グループジャンプ操作に応じてジャンプ動作が実行される場合とされない場合とが生じてしまうことを防止でき、ユーザの混乱が生じないようにすることのできる優れたユーザインタフェースを実現することができる。
【０１１２】
また、このようにグループジャンプ用の別途のリストを生成しておき、それをグループジャンプ操作と対応づけておくようにすれば、例えばサーチとしてはアルバムサーチを行ってトラック再生を開始したが、グループジャンプ動作としてはアーティスト単位で行うといったことができるなど、グループジャンプの自由度を広げることができる。
【０１１３】
さらには、実施の形態のように複数のリストを生成しておき、そのうちからグループジャンプ動作に適用するリストを選択することができるようにすれば、グループジャンプの自由度はさらに広げることができる。
【０１１４】
ここで、この場合のグループジャンプ動作としては、これまでに説明したように、グループジャンプ操作に応じて直ちにリスト上の隣接グループ内のトラックについての再生を開始する以外にも、例えば以下のようにして、リスト上のグループの名称を順次表示してそのうちから任意のグループを選択できるようにすることもできる。
【０１１５】
図１３、図１４は、このような順次表示の一例を示す図であり、図１３はアルバムジャンプモードの場合での順次表示例を示し、図１４はアーティストジャンプモードの場合での順次表示例を示している。
なお、アーティスト順アルバムジャンプモードの場合の順次表示例は図１３に示すアルバムジャンプモードの場合の表示例と同様となるので図示による説明は省略する。
【０１１６】
先ず、このような順次表示により任意のグループを選択するとした場合、ユーザは、トラックの再生中において、アルバム位置でのＦＦ長押し操作を行う。すなわち、図６に示したシャトルスイッチ８ｄをアルバム位置にした状態で、ＦＦ操作を継続的に行う。
すると、図１３に示すアルバムジャンプモードの場合、表示部１５上の表示としては、ＦＦ長押し操作が継続されている間、アルバムジャンプ用リスト上のアルバム名の情報が順方向に順次表示されるようになる。
【０１１７】
この際、ユーザは所望のアルバム名の情報が表示されたところでシャトルスイッチ８ｄを離す（つまりＦＦ操作を終了させる）ことで、その表示されたアルバムについての再生指示を行うことができる。
つまり記録再生装置２としては、ＦＦ操作が終了したことに応じて、その時点で表示部１５上に表示していた（つまり表示すべきとして選択していた）アルバム名の情報に基づき、リスト上でその下層に位置する先頭のトラックについての再生を開始することになる。
【０１１８】
また、この場合、再生中のアルバム位置でのＦＲ長押し操作に応じては、アルバムリスト上のアルバム名を逆順で順次表示する。そして、この場合も、ＦＲ操作が終了したことに応じ、その時点で選択していたリスト上のアルバム名の下層に位置する先頭のトラックについての再生を開始する。
なお、このような順次表示を指示するための、再生中のアルバム位置での継続的なＦＦ操作／ＦＲ操作のことを、総称して長押しジャンプ操作とも言う。
【０１１９】
なお、アーティスト順アルバムジャンプモードについては、アーティスト順アルバムジャンプ用リストの内容に基づき、同様の動作を行うこととなる。上述もしたようにその場合の順次表示例としては図１３と同様となる。
【０１２０】
また、図１４に示すアーティストジャンプモードの場合、ＦＦ長押し操作による長押しジャンプ操作に応じては、アーティストジャンプ用リストの内容に基づき、図示するようにアーティスト名の情報を順方向に順次選択してそれらを表示部１５上に順次表示する。
この場合もＦＦ操作の終了に応じて、その時点で選択していたリスト上のアーティスト名の下層における先頭のトラックの再生を開始するようにされる。
また、ＦＲ長押し操作による長押しジャンプ操作に応じては、アーティストジャンプ用リスト上のアーティスト名を逆順で順次表示する。そして、ＦＲ操作が終了したことに応じ、その時点で選択していたアーティストジャンプ用リスト上のアルバム名の下層に位置する先頭のトラックについての再生を開始する。
【０１２１】
このような順次表示動作が可能とされることで、ユーザにジャンプ可能なグループ候補を提示し、その中から任意のグループを選択させることができる。
【０１２２】
６．処理動作
続いては、次の図１５、図１６のフローチャートを参照して、上記説明による実施の形態としてのグループジャンプ動作を実現するために行われるべき処理動作について説明する。
なお、これらの図に示される処理動作は、図５に示したコントローラ６がメモリ９に格納されるグループジャンプ処理プログラム９ａに基づいて実行するものである。
【０１２３】
図１５は、先の図１２にて説明したようにしてジャンプモードを選択設定するときに対応して行われるべき処理動作について示している。なお、この図１５においては、既に表示部１５上には、先の図１２（ｂ）に示した設定メニュー画面にて「Jump Mode」の項目が決定された以降に実行されるべき処理動作を示してる。
【０１２４】
先ず、ステップＳ１０１では、ジャンプモード名の表示処理を行う。つまり、先の図１２（ｂ）にて説明したようにして「Jump Mode」が決定されたことに応じ、図１２（ｃ）に示したような各ジャンプモードの項目を一覧表示したジャンプモード選択画面を表示するための処理を実行する。具体的には、「Album」「Artsit／Album」「Artsit」の各項目とカーソルＣＲとを少なくとも配置した画面データを表示制御部１４に供給してそれを表示部１５上に表示させる。
【０１２５】
ステップＳ１０２では、ジャンプモードの選択処理を実行する。すなわち、表示したジャンプモード選択画面において、ＦＦ／ＦＲ操作に応じてカーソルＣＲを移動させるための処理などを必要に応じて実行する。
そしてステップＳ１０３では、決定操作が行われたか否かについて判別処理を行う。つまり、この場合の決定操作として、PLAY／STOPキー８ｃの押圧操作が行われたか否かについて判別し、行われていないとして否定結果が得られた場合は、上記ステップＳ１０２に戻るようにされ、これによって決定操作が行われるまでジャンプモード選択処理を行うようにされる。
【０１２６】
一方、ステップＳ１０３において決定操作が行われたとして肯定結果が得られた場合は、ステップＳ１０４に進み、決定されたジャンプモード用のリストを、ジャンプ動作に参照すべきリストとして決定するようにされる。
すなわち、ステップＳ１０２にて選択され、ステップＳ１０３にて決定操作の行われたジャンプモードの項目に応じて、そのジャンプモード用のリストをジャンプ動作の際に参照すべきリストとして決定する。
具体的には、先にも説明したように「Album」の項目が選択・決定された場合はアルバムジャンプ用リストを決定し、「Artist／Album」の項目が選択・決定された場合はアーティスト順アルバムジャンプ用リストを決定し、「Artist」の項目が選択・決定された場合はアーティストジャンプ用リストを決定するようにされる。
これによってグループジャンプ操作と選択・決定されたジャンプモード用のリストとの対応づけが行われる。
【０１２７】
図１６は、このようなジャンプ用リストの選択設定に基づき、実際にグループジャンプ操作に応じて行われるグループジャンプ動作時に対応して行われるべき処理動作について示している。
なおこの図１６では、既に何らかのトラックが再生されている状態にあるとする。
【０１２８】
図１６において、先ずステップＳ２０１、ステップＳ２０２によっては、＋方向ジャンプ操作と−方向ジャンプ操作の何れかを待機する処理が行われる。
ステップＳ２０１において、上記＋方向ジャンプ操作として、アルバム位置でのＦＦ操作が行われたとした場合は、ステップＳ２０３において、当該ジャンプ操作が長押し操作であるか否かについて判別処理を行う。つまり、アルバム位置でのＦＦ操作が所定時間以上継続して行われているか否かについて判別処理を行う。
【０１２９】
ステップＳ２０３において、上記ＦＦ操作が上記所定時間を経過せずに終了し、長押し操作ではないとして否定結果が得られた場合は、ステップＳ２０４に進み、ジャンプ動作用として決定したリスト上の＋方向に隣接するグループの１曲目を再生するための処理を実行する。
すなわち、先の図１５のステップＳ１０４にて決定したリストについて、そのリスト上で再生中のトラックの属するグループの次に配列されるグループ下において、先頭に位置するトラック名の情報が対応づけられたトラックが再生されるように制御を行う。
これによって＋方向のグループジャンプ動作が実行されたことになる。
【０１３０】
なお、確認のために述べておくと、ここで言うグループとは、先に説明した各リストごとに設定されるジャンプ対象として設定されたグループを言うものであり、具体的にアルバムジャンプ用リストが決定されている場合には、リスト上のアルバム単位でのグループとなる。同様に、アーティスト順アルバムジャンプ用リストが決定されている場合も、リスト上のアルバム単位によるグループとなり、またアーティストジャンプ用リストが決定されている場合には、リスト上のアーティスト単位でのグループとなる。
【０１３１】
また、先にも説明したように、この場合の各ジャンプ用リストは、コンテンツ管理情報１８ｂにおける各コンテンツＩＤを、対応づけられる属性情報に基づいてソートしたものとなっている。従ってこの場合、リスト上の特定のトラック名によるトラックを再生させるにあたっては、そのトラック名の情報と対応づけられているコンテンツＩＤの情報をもとに、再生開始のための制御を行うようにされる。
なお、このことは以下で説明するステップＳ２０７、Ｓ２０９、及びＳ２１２の処理についても同様である。
【０１３２】
また、上記ステップＳ２０３において、長押し操作であるとして肯定結果が得られた場合は、ステップＳ２０５に進み、決定したリスト上のグループ名を＋方向順に順次表示する処理を開始するようにされる。
つまり、決定したリスト上において配列されるグループ名の情報をその配列順に順次選択し、選択したグループ名の情報が順次表示部１５上に表示されるように、表示制御部１４に対する制御を行う。
具体的に、例えばアルバムジャンプモードとしてアルバムジャンプ用リストが決定されている場合は、アルバムジャンプ用リスト上のアルバム名の情報を配列順に順次選択し、またアーティスト順アルバムジャンプモードとしてアーティスト順アルバムジャンプ用リストが決定されている場合は、アーティスト順アルバムジャンプ用リスト上のアルバム名の情報を配列順に順次選択し、またアーティストジャンプモードとしてアーティストジャンプ用リストが決定されている場合はアーティストジャンプ用リスト上のアーティスト名の情報を配列順に順次選択し、それら選択したアルバム名の情報が順次表示部１５上に表示されるように制御を行う。
この場合、リスト上にて選択を開始するグループ名の情報は、例えば再生中のトラックが属するグループの次に配列されるグループ名の情報としている。
【０１３３】
続くステップＳ２０６では、長押し操作の終了を待機するようにされる。
そして、長押し操作の終了として、継続されていたアルバム位置でのＦＦ操作が終了した場合は、ステップＳ２０７において、終了時点で表示していたグループの１曲目を再生するようにされる。すなわち、ステップＳ２０５により開始した順次表示処理に伴い、リスト上において長押し操作の終了時点で選択していたグループ名の情報の下層におけるトラック名のうち、先頭に配列されるトラック名の情報が対応づけられたトラックについての再生が開始されるように制御を行う。
これにより、順次表示の中から選択したグループへのジャンプ動作が実現される。
【０１３４】
続いて、先のステップＳ２０２において、−方向ジャンプ操作としてのアルバム位置でのＦＲ操作が行われたとした場合は、図示するようにしてステップＳ２０８に進み、当該ジャンプ操作が長押し操作であるか否かについて判別処理を行う。つまり、アルバム位置でのＦＲ操作が所定時間以上継続して行われているか否かについて判別処理を行う。
【０１３５】
ステップＳ２０８において、長押し操作ではないとして否定結果が得られた場合は、ステップＳ２０９に進み、ジャンプ動作用として決定したリスト上の−方向に隣接するグループの１曲目を再生するための処理を実行する。すなわち、先のステップＳ１０４にて決定したリスト上で再生中のトラックの属するグループの前に配列されるグループ下において、先頭に位置するトラック名の情報が対応づけられたトラックが再生されるように制御を行う。
これによって−方向のグループジャンプ動作が実行されたことになる。
【０１３６】
また、上記ステップＳ２０８において、長押し操作であるとして肯定結果が得られた場合は、ステップＳ２１０において、決定したリスト上のグループ名を−方向順に順次表示する処理を開始するようにされる。
つまり、決定したリスト上において配列されるグループ名の情報を、その配列順とは逆順に順次選択し、選択したグループ名の情報が順次表示部１５上に表示されるように、表示制御部１４に対する制御を行う。
この場合、リスト上にて選択を開始するグループ名の情報は、例えば再生中のトラックが属するグループの前に配列されるグループ名の情報としている。
【０１３７】
続くステップＳ２１１では、長押し操作の終了を待機するようにされる。そして、長押し操作の終了として、継続されていたアルバム位置でのＦＲ操作が終了した場合は、ステップＳ２１２において、この場合も終了時点で表示していたグループの１曲目を再生するようにされる。
これにより、−方向への長押しジャンプ操作に応じても、順次表示の中から選択したグループへのジャンプ動作を行うことができる。
【０１３８】
以上、本発明の実施の形態について説明したが、本発明としてはこれまでに説明した実施の形態に限定されるべきものではない。
例えば、実施の形態では、コンテンツデータがオーディオデータとされる場合を例示したが、コンテンツデータとしては、映画やテレビジョン番組、ビデオプログラム、写真、絵画、図表等を構成する静止画若しくは動画をコンテンツとする映像データ（ビデオデータ）や、電子図書（E-BOOK）、ゲーム、ソフトウエアなどをコンテンツとする任意のデータとすることができる。
【０１３９】
また、実施の形態では、ジャンプ用のリストにおけるグループ分けは、アルバム名ごと、アーティスト名ごとに行われる場合のみを例示したが、他にも例えばジャンルごとなど、他の属性情報の内容に基づくグループ分けが行われる場合にも本発明は好適に適用することができる。
【０１４０】
また、実施の形態では、ジャンプ用の各種リストを記録再生装置２側で生成し、それらを所要の記録媒体（実施の形態の場合はフラッシュメモリ１８）に格納しておくものとしたが、ジャンプ用リストとしてはパーソナルコンピュータ３としての外部装置側で生成し、記録再生装置２側では転送されたリストを自らが備える記録媒体に記録するように構成することも可能である。
【０１４１】
また、実施の形態では、グループジャンプ動作として、リスト上の隣接するグループ内の先頭のトラックの再生を開始するものとしたが、先頭のトラックではなく他のトラックの再生を開始するようにもできる。
【０１４２】
また、ＦＦ操作による−方向へのグループジャンプ操作に応じては、リスト上で再生中のトラックが属するグループの先頭のトラックへの頭出し動作を行うこともできる。
この場合、−方向へのグループジャンプ操作が１度行われてから、所定時間内にさらなる−方向へのグループジャンプ操作が行われたことに応じ、リスト上における再生中のグループの前に配列されるグループへのジャンプ動作を行うようにすることもできる。
【０１４３】
また、実施の形態では、ジャンプ用のリストに基づいては、グループ単位でのジャンプ動作のみを行うものとしたが、グループ単位のみではなくトラック単位でのジャンプ（つまり通常のＦＦ／ＦＲ）を行うようにすることもできる。
具体的に、その場合は、図１２にて説明したようなジャンプモードの選択・決定が行われたことに応じ、決定されたジャンプモードに対応するジャンプ用のリストをアルバム位置でのＦＦ／ＦＲ操作に対応づけると共に、さらにニュートラル位置（図６のＰ２）でのＦＦ／ＦＲ操作（通常のＦＦ／ＦＲ操作）にも対応づけるようにする。
そして、トラックを再生中、通常のＦＦ操作が行われた場合には、対応づけられたジャンプ用のリスト上で次に隣接する（＋方向に隣接する）トラックの再生を行うようにする。これにより、トラックジャンプ動作についても、サーチにより絞られた再生範囲に捕らわれずにジャンプ動作を行うことができるようになる。
【０１４４】
なお、通常のＦＲ操作が行われた場合は、再生中のトラックの頭出し（先頭からの再生し直し）を行うようにする。但しこの場合、例えば所定時間内のさらなるＦＲ操作に応じては、対応づけられたジャンプ用リスト上で−方向に隣接するトラックの再生を行う。これによって−方向についても同様に、再生範囲として設定された範囲に捕らわれずにトラックジャンプを行うことができるようになる。
【０１４５】
また、実施の形態では、ジャンプ用のリストの決定はユーザ操作に基づき行うものとしたが、装置側が自動で行うようにすることもできる。
例えば、ジャンプ操作に対応づけるジャンプ用のリストの決定は、サーチ内容に応じて自動的に決定することができる。すなわち、例えばサーチが、図７に示したようにアーティスト→アルバム→トラックの順で行われて再生すべきトラックが決定された場合には、ジャンプ操作に対し、アルバム順アーティストジャンプ用リストを対応づける。
また、サーチがアーティスト→トラックの順で行われて（つまり、図７（ｂ）に示した画面で「All Artist」が選択されて表示されたアーティスト順に並べられたすべてのトラックの一覧からトラックが選択されて）再生すべきトラックが決定された場合は、ジャンプ操作に対してアーティストジャンプ用リストを対応づける。
さらに、サーチが図８に示したようにアルバム→トラックの順で行われて再生すべきトラックが決定された場合は、ジャンプ操作に対してアルバムジャンプ用リストを対応づける、といったものである。
【０１４６】
なお、このようにジャンプ操作とジャンプ用リストとの対応づけを自動的に行うことは、上述のように通常のＦＦ／ＦＲ操作に対してもジャンプ用のリストを対応づける場合にも同様に適用することができる。
【０１４７】
また、実施の形態では、再生するコンテンツデータを特定するまでのサーチの経路によって再生範囲が決定される例を示したが、例えば、図１２（ａ）で説明した設定メニューの「Repeat Mode」によって、再生範囲を決定するように構成することもできる。この場合、サーチによるコンテンツデータの選択は、主にコンテンツデータを指定するという機能を果たし、再生範囲の決定という機能は果たさないことになる。
【０１４８】
先ず、「Repeat Mode」には、「normal」「Folder」「Repeat All」「Repeat Folder」「Repeat 1 song」「Repeat Shuffle All」「Repeat Shuffle Folder」といったモードの種類がある。それぞれのモードの内容は以下の通りである。
「normal」・・・再生中のトラック以降の全てのトラックを再生し、その後停止。
「Folder」・・・再生中のトラックが含まれるグループ内において、再生中のトラック以降の全てのトラックを再生し、その後停止。
「Repeat All」・・・再生中のトラック以降の全てのトラックを再生し、その後、先頭から最後のトラックまでの再生を繰り返し行う。
「Repeat Folder」・・・再生中のトラックが含まれるグループ内において、再生中のトラック以降の全てのトラックを再生したあと、そのグループ内の先頭から最後のトラックまでの再生を繰り返し行う。
「Repeat 1 song」・・・再生中のトラックについての再生を繰り返し行う。
「Repeat Shuffle All」・・・再生中のトラックを再生したあと、全てのトラックを対象としてトラックの順不同再生（ランダム再生）を繰り返し行う。
「Repeat Shuffle Folder」・・・再生中のトラックを再生したあと、そのトラックが含まれるグループ内の全トラックを対象としてトラックの順不同再生を繰り返し行う。
【０１４９】
これら各モードの内容からするに、再生範囲の設定という意味では、上記各種の「Repeat Mode」（「Repeat 1song」は除く）の設定によっては、再生範囲を全てのトラックとするか、グループ内にするかが設定されることになる。
【０１５０】
設定メニューの「Repeat Mode」によって再生範囲を決定する場合の手順は以下の通りである。
先ず、図６にて示したSEARCH／MENUキー８ｂを長押し操作することで、表示部１５上に図１２（ａ）に示す設定メニュー画面を表示させる。その後、表示部１５に表示されている設定メニューの中から「Repeat Mode」を選択し、上述した複数のモードを表示させた上で、その中から所望のモードを選択する。これによって、再生範囲を、全てのトラック、又はグループ内に設定することができる。
【０１５１】
なお、このような「Repeat Mode」による再生範囲の設定を可能とするにあたっては、先の図５中に破線で示されるようにして  例えばメモリ９内にリピートモードプログラム９ｂを格納するようにしておき、コントローラ６がこのリピートモードプログラム９ｂに従った処理動作を行うようにすればよい。
つまり、このリピートモードプログラム９ｂに従った処理動作として、コントローラ６は、先ずは上記設定メニュー画面の表示状態において、「Repeat Mode」が選択・決定されるのを待機する。そして、この「Repeat Mode」が選択・決定された場合は、表示部１５上に上述した複数のモードを（文字・アイコンなどにより）表示させる処理を実行し、その後、表示させたそれらのモードのうちの何れかのモードの選択・決定を待機する。そして、モードの選択・決定があった場合は、決定されたモードに応じた再生動作が実行されるように制御処理を行う。
【０１５２】
ここで、このようなモード設定に応じた再生時において、再生制御にあたって用いるリストとしては、予めジャンプ動作用として対応づけた（設定した）リストを用いるものとする。従って、「normal」、「Repeat All」、「Repeat Shuffle All」が決定された場合、予め設定したジャンプ用リスト上の全トラックの範囲を再生範囲に設定することになる。また、「Folder」、「Repeat Folder」、「Repeat Shuffle Folder」が決定された場合は、予め設定したジャンプ用リストにおける再生中のトラックが含まれるグループの範囲を再生範囲に設定することになる。
【０１５３】
このことを踏まえて、個々のモードが設定された後の具体的な処理内容についてみていく。
先ず、「normal」が決定された場合、コントローラ６は、再生中のトラックの再生が終了した後、設定したジャンプ用リスト上における以降のトラックが順次再生されるように制御を行う。
また、「Repeat All」が決定された場合、設定したジャンプ用リスト上における再生中のトラック以降の全てのトラックが順次再生されるように制御し、その後、そのジャンプ用リストの先頭から最後のトラックまでの再生が繰り返し行われるように制御する。
また、「Repeat Shuffle All」が決定された場合は、再生中のトラックの再生が終了した後、設定したジャンプ用リスト上の全てのトラックを対象としてランダム再生が繰り返し行われるように制御する。
【０１５４】
また、「Folder」が決定された場合は、設定したジャンプ用リスト上における再生中のトラックが含まれるグループ内において、再生中のトラック以降の全てのトラックが順時再生されるように制御する。
また、「Repeat Folder」が決定された場合は、設定したジャンプ用リスト上における再生中のトラックが含まれるグループ内において、再生中のトラック以降の全てのトラックが順次再生されるように制御し、その後、そのグループ内の先頭から最後のトラックまでの再生が繰り返し行われるように制御する。
また、「Repeat Shuffle Folder」が決定された場合は、再生中のトラックの再生が終了した後、設定したジャンプ用リスト上におけるそのトラックが含まれるグループ内の全トラックを対象としてランダム再生が行われるように制御する。
【０１５５】
ここで、このようにモード設定に応じて再生範囲の設定が行われた場合、通常のＦＦ／ＦＲ操作に応じては、設定された再生範囲の中での曲送り／曲戻し動作を行うものとしてもよい。
具体的に、全トラックが再生範囲に設定される上記「normal」「Repeat All」が決定された以降に、ＦＦ／ＦＲ操作が行われた場合、コントローラ６は、設定したジャンプ用リスト上の全トラックを対象として、その中からＦＦ／ＦＲ操作の別に応じたトラックの頭出し再生が行われるように制御を行う。例えば、ＦＦ操作に応じては、設定したジャンプ用リスト上における再生中のトラックの次の（＋方向に隣接する）トラックの頭出し再生が行われるように制御を行う。また、ＦＲ操作に応じては、再生中のトラックの頭出し再生が行われるように制御する。なお、この場合も、先にも述べたような所定時間内のさらなるＦＲ操作に応じては、ジャンプ用リスト上で−方向に隣接するトラックの再生が行われるように制御することができる。
また、再生範囲が全トラックに設定される場合として、「Repeat Shuffle All」が決定された以降のＦＦ／ＦＲ操作に応じては、設定したジャンプ用リスト上の全トラックを対象として、その中からランダムに選択したトラックの頭出し再生が行われるように制御を行う。
【０１５６】
一方、再生範囲がグループ内に設定される「Folder」「Repeat Folder」が決定された以降のＦＦ／ＦＲ操作に応じては、設定したジャンプ用リスト上における再生中のトラックが含まれるグループ内における全トラックを対象として、その中からＦＦ／ＦＲ操作の別に応じたトラックの頭出し再生が行われるように制御を行う。この場合、ＦＦ／ＦＲ操作に応じた具体的な制御内容としては、先に述べた「normal」「Repeat All」と基本的には同様となるが、この場合は再生範囲がグループ内に設定されていることから、例えばＦＦ操作に応じてグループ内の最後のトラックから次のトラックへの送り指示が為された場合は、そのグループにおける最初のトラックの頭出し再生が行われるように制御を行うことになる。また、例えば上述のような所定時間内の複数回のＦＲ操作によって、グループ内の最初のトラックから前のトラックへの戻し指示が為された場合は、そのグループにおける最後のトラックの頭出し再生が行われるように制御を行うことになる。
さらに、再生範囲がグループ内に設定される場合として、「Repeat Shuffle Folder」が決定された以降のＦＦ／ＦＲ操作に応じては、設定したジャンプ用リスト上における再生中のトラックが含まれるグループ内における全トラックを対象として、その中からランダムに選択したトラックの頭出し再生が行われるように制御を行う。
【０１５７】
以上のようなコントローラ６の制御処理により、通常のＦＦ／ＦＲ操作に応じて、設定された再生範囲の中での曲送り／曲戻し動作が行われるようにすることができる。
【０１５８】
また、これまでの説明において、グループジャンプ用のリストとしては、検索用（サーチ用）リストとは別途に生成・保持する場合を例示したが、予め検索用リストとしても使用するグループジャンプ用のリストを設定しておき、これをサーチ、グループジャンプ時のどちらにも用いることで、グループジャンプ用のリストを検索用リストとして併用することもできる。
このようにグループジャンプ用のリストとサーチ用のリストとを兼用する場合、コントローラ６は、先の図７、図８にて説明したようなユーザからの操作入力に基づき、兼用とされるリストの中からアルバム、アーティストといったグループを選択し、また選択したグループの中からコンテンツデータを選択すると共に、このように選択したコンテンツデータが再生されるように制御を行うことになる。
なお、確認のために述べておくと、このように検索で用いるリストとジャンプ用で用いるリストとが併用される場合であっても、ジャンプ用で用いられるリストはサーチ用で用いるものとは別途に設定可能であるから、ジャンプ動作の自由度を確保できることに変わりはない。
【０１５９】
また、これまでの説明では、記録再生装置２が記録媒体として半導体メモリを内蔵する構成を例示したが、本発明の再生装置としては、例えばＣＤ、ＤＶＤ、ハードディスク、メモリーカード等、所要の記録媒体に記録されたコンテンツデータについての再生が可能に構成される場合に広く適用可能なものである。
【０１６０】
また、これまでの説明では、記録再生装置２の本体に表示デバイスを備える構成としたが、記録再生装置２の表示デバイスとしては例えば有線接続されたリモートコントローラ部に備えられる場合もある。この場合において、記録再生装置２本体側としては、このような外付けの表示デバイスについて同様の表示制御を行うようにすればよい。
【図面の簡単な説明】
【０１６１】
【図１】実施の形態としての記録再生システムの概要について示す図である。
【図２】実施の形態の情報処理装置の内部構成を示すブロック図である。
【図３】実施の形態の情報処理装置にインストールされるコンテンツ管理アプリケーションが有する機能について説明するための図である。
【図４】コンテンツ管理情報の構造を概念的に示したデータ構造図である。
【図５】実施の形態の再生装置の内部構成を示すブロック図である。
【図６】実施の形態の再生装置の外観図である。
【図７】アーティストサーチを行う際の操作手順について説明するための図として、操作に応じた画面遷移を示した図である。
【図８】アルバムサーチを行う際の操作手順について説明するための図として、操作に応じた画面遷移を示した図である。
【図９】アルバムジャンプ用リストの構造を概念的に示した図である。
【図１０】アーティスト順アルバムジャンプ用リストの構造を概念的に示した図である。
【図１１】アーティストジャンプ用リストの構造を概念的に示した図である。
【図１２】ジャンプモードの選択設定を行うための操作手順について説明するための図として、操作に応じた画面遷移を示した図である。
【図１３】アルバムジャンプモードの場合の順次表示動作について説明するための図である。
【図１４】アーティストジャンプモードの場合の順次表示動作について説明するための図である。
【図１５】実施の形態としての動作を実現するための処理動作として、ジャンプモードの選択設定時に対応して行われるべき処理動作について示したフローチャートである。
【図１６】実施の形態としての動作を実現するための処理動作として、ジャンプ動作時に対応して行われるべき処理動作について示したフローチャートである。
【符号の説明】
【０１６２】
１  記録再生システム、２  記録再生装置、３  パーソナルコンピュータ、４  サーバ装置、４ａ  楽曲情報データベース、５  ネットワーク、６  コントローラ、６ａ  ＤＡＣ、７  アンプ、８  操作部、８ａ  DISP/FUNCキー、８ｂ  SEARCH/MENUキー、８ｃ  PLAY/STOPキー、８ｄ  シャトルスイッチ、８ｅ  ＶＯＬ＋キー、８ｆ  ＶＯＬ−キー、９  メモリ、９ａ  再生・表示プログラム、９ｂ  更新時処理プログラム、１０  第１バス、１１  デコーダ、１２  システムゲートアレイ、１３  第２バス、１４  表示制御部、１５  表示部、１６  ＵＳＢコントローラ、１７  第３バス、１８  フラッシュメモリ、１８ａ  コンテンツデータ、１８ｂ  コンテンツ管理情報、１８ｃ  各種リスト、２１  ＣＰＵ、２２  メモリ部、２３  ＵＳＢインタフェース、２４  入力処理部、２５  入力部、２６  表示処理部、２７  ディスプレイ、２８  ドライブ制御部、２９  メディアドライブ、３０  ＨＤＤ、３０ａ  コンテンツ管理アプリケーション、３０ｂ  コンテンツデータ、３０ｃ  コンテンツ管理情報、３１  通信処理部、３２  ネットワークインタフェース、３３  オーディオデータ処理部、３４  スピーカ、３５  圧縮符号化・復号化部、３６  バス、１００  光ディスク
【図１】
2007299508.tif 000003
【図２】
2007299508.tif 000004
【図３】
2007299508.tif 000005
【図４】
2007299508.tif 000006
【図５】
2007299508.tif 000007
【図６】
2007299508.tif 000008
【図７】
2007299508.tif 000009
【図８】
2007299508.tif 000010
【図９】
2007299508.tif 000011
【図１０】
2007299508.tif 000012
【図１１】
2007299508.tif 000013
【図１２】
2007299508.tif 000014
【図１３】
2007299508.tif 000015
【図１４】
2007299508.tif 000016
【図１５】
2007299508.tif 000017
【図１６】
2007299508.tif 000018